(57)【特許請求の範囲】
【請求項１】
ガイドワイヤーであり、
第一フレキシブル要素と、
前記第一フレキシブル要素内で延びる遠位コアと、
遠位コアに固定して取り付けられる取り付け構造であって、前記取り付け構造が、互いに取り付けられた複数層の材料層を備え、前記複数層の材料層が、圧力検出コンポーネントを受け入れるサイズ及び形状の凹部を画定する取り付け構造と、
前記取り付け構造に取り付けられた圧力検出コンポーネントと、
前記取り付け構造に固定して取り付けられて、前記取り付け構造から近位側に延びる近位コアと、
近位箇所及び遠位箇所を有する少なくとも一個の導体であって、前記少なくとも一個の導体の前記遠位箇所が、前記圧力検出コンポーネントに連結され、前記少なくとも一個の導体の近位箇所が、少なくとも一個のコネクタに連結された少なくとも一個の導体とを備え、
前記近位コアの遠位端部が、前記取り付け構造の開口部内に配置されて、前記取り付け構造に固定して取り付けられ、
前記開口部が、第一部分及び第二部分を含み、前記第二部分が、前記第一部分に対してオフセットして配置され、
前記第一フレキシブル要素及び前記取り付け構造が、０．０３５”以下の外径を有するガイドワイヤー。
【請求項２】
前記複数層の材料層が、少なくとも６層を備える請求項１に記載のガイドワイヤー。
【請求項３】
前記複数層の材料層のそれぞれが、同一の材料で形成される請求項１に記載のガイドワイヤー。
【請求項４】
前記材料がニッケルコバルトである請求項３に記載のガイドワイヤー。
【請求項５】
前記複数層の材料層のそれぞれが、同一の厚みを有する請求項１に記載のガイドワイヤー。
【請求項６】
前記複数層の材料層のそれぞれの前記厚みが、約０．０１ｍｍと約０．０２５ｍｍとの間である請求項５に記載のガイドワイヤー。
【請求項７】
前記取り付け構造が、近位部、中央部及び遠位部を含み、  前記近位部が、前記近位部及び中央部に比して小さな外形寸法を有する近位ブリッジにより、前記中央部から分離され、
前記中央部が、前記中央部及び遠位部に比して小さな外形寸法を有する遠位ブリッジにより、前記遠位部から分離される請求項１に記載のガイドワイヤー。
【請求項８】
前記近位部、中央部及び遠位部のそれぞれが、約０．１２５ｍｍと約０．４００ｍｍとの間の外形寸法を有し、  前記近位ブリッジ及び前記遠位ブリッジのそれぞれが、０．０７５ｍｍと約０．１２５ｍｍとの間の外形寸法を有する請求項７に記載のガイドワイヤー。
【請求項９】
前記取り付け構造の前記中央部が、凹部を含む請求項８に記載のガイドワイヤー。
【請求項１０】
前記取り付け構造が、取り付け構造第一部分と、ブリッジにより前記取り付け構造第一部分から離隔して位置する取り付け構造第二部分とを含み、前記ブリッジが、前記取り付け構造第一部分及び前記取り付け構造第二部分に比して小さな外形寸法を有する請求項１に記載のガイドワイヤー。
【請求項１１】
前記取り付け構造の前記取り付け構造第一部分が、凹部を含む請求項１０に記載のガイドワイヤー。
【請求項１２】
前記近位コアが、前記取り付け構造に固定して取り付けられた第一箇所と、前記第一箇所から近位側に延びる第二箇所とを含み、前記第一箇所が第一材料で形成され、前記第二箇所が第二材料で形成される請求項１に記載のガイドワイヤー。
【請求項１３】
前記近位コアが、前記第二箇所から近位側に延びる第三箇所を更に含み、前記第三箇所が第三材料で形成される請求項１２に記載のガイドワイヤー。
【請求項１４】
前記第二材料が前記第一材料と異なる請求項１２に記載のガイドワイヤー。
【請求項１５】
第三材料が前記第二材料と異なる請求項１４に記載のガイドワイヤー。
【請求項１６】
前記少なくとも一個の導体が、三個の導体からなり、前記少なくとも一個のコネクタが三個のコネクタからなる請求項１に記載のガイドワイヤー。
【請求項１７】
前記近位コアの遠位端部が、半田により前記取り付け構造に固定して取り付けられる請求項１に記載のガイドワイヤー。
【請求項１８】
前記開口部が、第一幅を有する前記第一部分と、前記第一幅より広い第二幅を有する前記第二部分とを含み、前記第二部分が、前記第一部分の遠位側に配置される請求項１７に記載のガイドワイヤー。
【請求項１９】
前記開口部が、前記第二部分が、前記取り付け構造の縦軸に対し、前記第一部分からずれて位置する請求項１７に記載のガイドワイヤー。
【請求項２０】
前記開口部が、前記取り付け構造の前記縦軸に対し、前記第一部分と並べて配置された第三部分を更に含み、前記第二部分が、前記第一部分と第三部分との間に配置される請求項１９に記載のガイドワイヤー。
【請求項２１】
外径が０．０１８”以下のガイドワイヤーの遠位部内で用いる取り付け構造であり、前記取り付け構造が、
互いに取り付けられた複数層の材料層であって、前記複数層の材料層が、圧力検出コンポーネントを受け入れるサイズ及び形状の第一凹部、及び、前記ガイドワイヤーのコアの一部を受け入れるサイズ及び形状の第二凹部を画定する複数層の材料層を備え、
前記取り付け構造から近位側に延びる近位コアの遠位端部を配置して、固定し取り付けるための開口部が、第一部分及び第二部分を含み、前記第二部分が、前記第一部分に対してオフセットして配置される取り付け構造。
【請求項２２】
前記第一凹部が、材料層の第一グループにより画定され、前記第二凹部が、材料層の第二グループにより画定される請求項２１に記載の取り付け構造。
【請求項２３】
材料層の前記第一グループ及び第二グループが重複しない請求項２２に記載の取り付け構造。
【請求項２４】
前記複数層の材料層が、少なくとも６層を備える請求項２３に記載の取り付け構造。
【請求項２５】
材料層の前記第一グループが、少なくとも３層を備え、材料層の前記第二グループが、少なくとも３層を備える請求項２４に記載の取り付け構造。
【請求項２６】
前記複数層の材料層のそれぞれが、同一の材料で形成される請求項２１に記載の取り付け構造。
【請求項２７】
前記材料がニッケルコバルトである請求項２６に記載の取り付け構造。
【請求項２８】
前記複数層の材料層のそれぞれが、同一の厚みを有する請求項２１に記載の取り付け構造。
【請求項２９】
前記複数層の前記材料層のそれぞれの前記厚みが、０．０１ｍｍと約０．０２５ｍｍとの間である請求項２８に記載の取り付け構造。
【請求項３０】
前記複数層の材料層が、材料層第一部分と、材料層第二部分と、前記材料層第一部分及び前記材料層第二部分の間に延びるブリッジを画定し、前記ブリッジが、前記材料層第一部分及び前記材料層第二部分に比して小さな最大外形寸法を有する請求項２１に記載の取り付け構造。
【請求項３１】
前記材料層第一部分及び前記材料層第二部分が、約０．１２５ｍｍと約０．４００ｍｍとの間の最大外形寸法を有し、
前記ブリッジが、約０．０７５ｍｍと約０．１２５ｍｍとの間の最大外形寸法を有する請求項３０に記載の取り付け構造。
【請求項３２】
前記取り付け構造が、約０．１２５ｍｍと約０．４００ｍｍとの間の高さ、約０．２８ｍｍと約０．５０ｍｍとの間の幅、及び、約１．５ｍｍと約２．２ｍｍとの間の長さを有する請求項２１に記載の取り付け構造。
【発明の詳細な説明】
【技術分野】
【０００１】
本開示は、血管内装置、システム及び方法に関するものである。いくつかの実施形態では、当該血管内装置は、一以上の検出コンポーネントの取り付け構造を含むガイドワイヤーである。
【背景技術】
【０００２】
心臓病は極めて深刻であり、生命を救うために緊急の手術を要する場合がある。心臓病の主な原因は、血管内の血小板の蓄積であり、これは最終的には血管を閉塞させる。閉塞した血管を広げるために用いることのできる一般的な治療法の選択肢には、バルーン血管形成術、回転性粥腫切除術及び血管内ステントが含まれる。伝統的には、外科医は、治療の指標とするために血管の内腔の輪郭の外径を表示する平面画像であるＸ線透視画像に頼っていた。残念ながら、Ｘ線透視画像では、閉塞の原因である狭窄の正確な範囲及び方向についてかなり不確実であり、このことが、狭窄の正確な位置を見つけることを困難にする。また、再狭窄は同じ箇所に生じることが知られているが、Ｘ線で手術した後は、血管内の状態を確認することが困難である。
【０００３】
虚血をもたらす病変を含む血管内の狭窄の重症度を評価するための、現在認められている技術は、冠血流予備量比（ＦＦＲ）である。ＦＦＲは、近位圧測定値（狭窄の近位側で得られる）に対する遠位圧測定値（狭窄の遠位側で得られる）の比の計算である。ＦＦＲは、閉塞が血管内の血流を、治療が必要なほど制限するかどうかについての判断を可能にする狭窄重要度の指標をもたらす。健康な血管におけるＦＦＲの正常値は１．００であり、約０．８０より小さい値は一般に重大とみなされて、治療を要する。
【発明の概要】
【発明が解決しようとする課題】
【０００４】
血管内カテーテル及びガイドワイヤーは、血管内の圧力の測定、血管の内腔の可視化、及び／又は、その他の血管に関するデータの取得に用いられることが多い。これまで、圧力センサ、撮像素子及び／又は、その他の電子、光学もしくは電気光学的なコンポーネントを含むガイドワイヤーは、そのようなコンポーネントを含まない通常のガイドワイヤーに比して、性能特性が低下することに悩まされていた。たとえば、電子コンポーネントを含む以前のガイドワイヤーのハンドリング性能は、場合によっては、電子コンポーネントの導体もしくは通信回線、電子コンポーネントを含む硬質なハウジングの剛性及びサイズ、並びに／又は、ガイドワイヤー内で利用できる限られたスペースで電子コンポーネントの機能を付与することに関する他の制約に必要なスペースに占有された後の、コアワイヤーに利用できる限られたスペースによって阻害されていた。
【０００５】
従って、一以上の電子的、光学的もしくは電気光学的な検出コンポーネントの取り付け構造を含む血管内装置、システム及び方法を改善することの必要性は依然として残っている。
【課題を解決するための手段】
【０００６】
本開示の実施形態は、血管内装置、システム及び方法を対象としたものである。
【０００７】
一の実施形態では、ガイドワイヤーを提供する。このガイドワイヤーは、第一フレキシブル要素と、第一フレキシブル要素内に延びる遠位コアと、遠位コアに固定して取り付けられた取り付け構造とを備えるものであり、前記取り付け構造は、互いに取り付けられた複数層の材料層を備える。複数層の材料層は、圧力検出コンポーネントを受容するサイズ及び形状の凹部と、前記取り付け構造に取り付けられた圧力検出コンポーネントと、前記取り付け構造に固定して取り付けられて、取り付け構造から近位側に延びる近位コアと、近位箇所及び遠位箇所を有する少なくとも一の導体とを画定する。少なくとも一の導体の遠位箇所は、圧力検出コンポーネントに連結され、また、少なくとも一の導体の近位箇所は、少なくとも一のコネクタに連結される。第一フレキシブル要素及び取り付け構造は、０．０１８”以下の外径を有する。
【０００８】
他の実施形態では、外径が０．０１８”以下のガイドワイヤーの遠位部の内側で用いられる取り付け構造を設ける。当該取り付け構造は、互いに取り付けられた複数層の材料層を含み、ここでは、複数層の材料層が、圧力検出コンポーネントを受容するサイズ及び形状の第一凹部及び、ガイドワイヤーのコアの部分を受容するサイズ及び形状の第二凹部を画定する。
【０００９】
いくつかの例では、取り付け構造の複数層の材料層は、少なくとも６層を備える。いくつかの実施形態では、複数層の材料層はそれぞれ、同じ材料で形成される。その点において、いくつかの例では、当該材料はニッケルコバルトである。また、いくつかの実施においては、複数層の材料層は、同じ厚みを有する。たとえば、いくつかの例では、複数層の材料層のそれぞれの厚みは、約０．０１ｍｍ〜約０．０２５ｍｍである。いくつかの実施形態では、取り付け構造は、近位部、中央部及び遠位部を含む。その近位部は、近位部及び中央部に比して減少させた外形寸法を有する近位ブリッジ（a proximal bridge）によって、中央部から分離されており、また、中央部は、中央部及び遠位部に比して減少させた外形寸法を有する遠位ブリッジ（distal bridge）によって、遠位部から分離されている。いくつかの例では、それぞれの近位部、中央部及び遠位部は、約０．１２５ｍｍと約０．４００ｍｍとの間の外形寸法を有し、また、近位ブリッジ及び遠位ブリッジは、０．０７５ｍｍと約０．１２５ｍｍと間の外形寸法を有する。
【００１０】
本開示の更なる側面、構成及び効果は、以下の詳細な説明から明らかになる。
【図面の簡単な説明】
【００１１】
【図１】本開示の実施形態に従う血管内装置の概略側面図である。
【図２】本開示の実施形態に従う血管内装置の概略断面図である。
【図３】本開示の実施形態に従う取り付け構造の概略斜視図である。
【図４】図３の取り付け構造の概略的な近位端面図である。
【図５】本開示の他の実施形態に従う取り付け構造の概略平面図である。
【図６】本開示の実施形態に従うコアに接続して示す図５の取り付け構造の概略的な近位端面図である。
【図７】コアに接続して示す図５及び６の取り付け構造の概略的な部分断面図である。
【図８】本開示の他の実施形態に従う取り付け構造の概略斜視図である。
【図９】図８の取り付け構造の近位端面図である。
【図１０】本開示の他の実施形態に従う取り付け構造の概略平面図である。
【図１１】本開示の他の実施形態に従う取り付け構造の概略平面図である。
【図１２】本開示の他の実施形態に従う取り付け構造の概略平面図である。
【図１３】本開示の他の実施形態に従う取り付け構造の概略平面図である。
【図１４】本開示の他の実施形態に従う取り付け構造の概略平面図である。
【図１５】本開示の他の実施形態に従う取り付け構造の概略平面図である。
【図１６】本開示の他の実施形態に従う取り付け構造の概略平面図である。
【図１７】本開示の他の実施形態に従う取り付け構造の概略平面図である。
【図１８】本開示の他の実施形態に従う取り付け構造の概略平面図である。
【図１９】本開示の他の実施形態に従う取り付け構造の概略平面図である。
【図２０】本開示の他の実施形態に従う取り付け構造の概略平面図である。
【図２１】本開示の他の実施形態に従う取り付け構造の概略平面図である。
【図２２】本開示の他の実施形態に従う取り付け構造の概略平面図である。
【図２３】本開示の他の実施形態に従う取り付け構造の概略平面図である。
【発明を実施するための形態】
【００１２】
添付図面を参照しつつ、本開示の図示の実施形態を説明する。
【００１３】
本開示の原理の理解を促進させる目的で、図面に例示する実施形態について言及し、特定の言語は、同じものを説明するために用いられる。それにもかかわらず、開示の範囲の限定は意図されないことが理解される。説明する装置、システム及び方法に対する任意の変更や更なる改良ならびに、本開示の原理の更なる任意の適用は、この開示が属する技術分野の当業者が通常思い付くように十分に企図されており、本開示内に含まれる。特に、一の実施形態に関して説明する構成、コンポーネント及び／又は工程が、本開示の他の実施形態に関して説明する構成、コンポーネント及び／又は工程に組み合せられ得ることは十分に企図される。しかしながら、簡略のために、これらの組合せの多数の反復は個別には説明しない。
【００１４】
ここで、「フレキシブル長尺部材」または「長尺フレキシブル部材」というときは、患者の脈管に挿入できる少なくとも任意の細く、長く、柔軟な構造を含む。本開示の「フレキシブル長尺部材」の図示の実施形態は、フレキシブル長尺部材の外径を画定する円形断面形状の円筒形状を有するが、他の例では、フレキシブル長尺部材の全体または一部は、他の幾何学的な断面形状（たとえば、長円形、長方形、正方形、楕円形等）または、非幾何学的な断面形状（non-geometric cross-sectional profiles）を有する。フレキシブル長尺部材は、たとえば、ガイドワイヤー及びカテーテルを含む。この点において、カテーテルは、その長手方向に延びて、他の機器を受け入れるため、及び／又は案内するための内腔を含むか、又は含まないものとすることができる。カテーテルが内腔を含む場合、その内腔は、装置の断面形状に対して中心にあり、又はずれている。
【００１５】
多くの実施形態では、本開示のフレキシブル長尺部材は、一以上の電子的、光学的又は電気光学的なコンポーネントを含む。たとえば、フレキシブル長尺部材は、圧力センサ、温度センサ、撮像素子、ミラー、光ファイバー、超音波振動子、反射器、プリズム、アブレーション素子、ＲＦ電極、導体及び／又は、それらの組合せのようなタイプのコンポーネントを一以上含むことができるが、これに限定されるものではない。一般に、これらのコンポーネントは、フレキシブル長尺部材が配置される血管又は生体組織の他の部分に関するデータを得るべく構成される。当該コンポーネントはまた、かかるデータを、処理及び／又は表示のために外部装置に通信するべく構成される。いくつかの側面では、本開示の実施形態は、血管の内腔内を撮像するための撮像装置を含み、これには、医学的及び非医学的な適用の両方が含まれる。しかしながら、本開示のいくつかの実施形態は、人体の脈管のなかで用いることに特に適している。血管内スペース、特に人体の脈管の内壁の撮像は、超音波（血管内超音波（「ＩＶＵＳ」）や心腔内エコー検査（「ＩＣＥ」）と称されることが多い）及び、光コヒーレンス・トモグラフィー（「ＯＣＴ」）を含む多数の異なる技術により行うことができる。他の例では、赤外線、熱又は他の撮像モダリティが用いられる。
【００１６】
本開示の電子、光学及び／又は電気光学コンポーネントは、フレキシブル長尺部材の遠位部内に配置されることが多い。ここで、フレキシブル長尺部材の「遠位部」というときは、中間点から遠位端までのフレキシブル長尺部材の任意の部分を含む。フレキシブル長尺部材は中実（solid）とすることができるので、本開示のいくつかの実施形態は、遠位部に、電子コンポーネントを受け入れるためのハウジング部を含むだろう。そのようなハウジング部は、長尺部材の遠位部に取り付けられた管状構造とすることができる。いくつかのフレキシブル長尺部材は管状であって、遠位部内に電子コンポーネントを配置することのできる一以上の内腔を有する。
【００１７】
電子、光学及び／又は電気光学コンポーネント並びに、関連する通信回線は、フレキシブル長尺部材の径が極めて小さいことを許容するサイズ及び形状である。たとえば、ここで述べるような一以上の電子、光学及び／又は電気光学コンポーネントを含むガイドワイヤー又はカテーテル等の長尺部材の外径は、約０．０００７”（０．０１７８ｍｍ）と０．１１８”（３．０ｍｍ）との間にあり、いくつかの特定の実施形態は、およそ０．０１４”（０．３５５６ｍｍ）とおよそ０．０１８”（０．４５７２ｍｍ）との間である。このように、電子、光学及び／又は電気光学コンポーネントを組み込む本開示のフレキシブル長尺部材は、人間の患者内で、心臓の一部の箇所またはそれをすぐ取り囲む箇所の近傍の多様な内腔に使用することに適しており、これには、体肢の静脈及び動脈、腎動脈、脳内もしくはその周囲の血管ならびに、他の内腔が含まれる。
【００１８】
ここで用いる「接続された」及びその変形は、他の要素の上、内部などに、接着又はその他の方法で直接的に取り付けられるような直接的な接続、ならびに、接続された要素の間に一以上の要素が配置される間接的な接続を含む。
【００１９】
ここで用いる「取り付けられた」及びその変形は、他の要素の上、内部などに直接接着又は他の方法で固定されるような、要素が他の要素に直接的に取り付けられる方法、ならびに、取り付けられる要素の間に一以上の要素が配置されて二の要素をともに間接的に取り付ける技術を含む。
【００２０】
次に図１を参照すると、本開示の実施形態に従う血管内装置１００の一部が示されている。その点において、血管内装置１００は、遠位端部１０５に隣接する遠位部１０４と、近位端部１０７に隣接する近位部１０６を有するフレキシブル長尺部材１０２を含む。コンポーネント１０８は、遠位端１０５に隣接するフレキシブル長尺部材１０２の遠位部１０４内に配置されている。一般に、コンポーネント１０８は、一以上の電子、光学又は電気光学コンポーネントを代表するものである。その点において、コンポーネント１０８は、圧力センサ、温度センサ、撮像素子、光ファイバー、超音波振動子、反射器、ミラー、プリズム、アブレーション素子、ＲＦ電極、導体及び／又はその組合せである。特定のタイプのコンポーネント又はコンポーネントの組合せは、血管内装置の使用目的に基いて選択することができる。いくつかの例では、コンポーネント１０８は、遠位端１０５から１０ｃｍ未満、５未満又は３ｃｍ未満に配置することができる。いくつかの例では、コンポーネント１０８は、フレキシブル長尺部材１０２のハウジング内に配置される。その点において、ハウジングは、いくつかの例では、フレキシブル長尺部材１０２に取り付けられた別個のコンポーネントである。いくつかの例では、ハウジングは、フレキシブル長尺部材１０２の一部として一体に形成される。
【００２１】
血管内装置１００はまた、該装置の近位部１０６に隣接するコネクタ１１０を含む。その点において、コネクタ１１０は、フレキシブル長尺部材１０２の近位端部１０７から距離１１２で離れて配置される。一般に、距離１１２は、フレキシブル長尺部材１０２の全長の０％〜５０％の間である。フレキシブル長尺部材の全長は、任意の長さとすることができるが、いくつかの実施形態では、当該全長は、約１３００ｍｍと約４０００ｍｍの間であり、いくつかの特定の実施形態は、１４００ｍｍ、１９００ｍｍ及び３０００ｍｍの長さを有する。従って、いくつかの例では、コネクタ１１０は、近位端部１０７に配置される。他の例では、コネクタ１１０は、近位端部１０７から離れて配置される。たとえば、いくつかの例では、コネクタ１１０は、近位端部１０７から、約０ｍｍと約１４００ｍｍとの間で離れて配置される。いくつかの特定の実施形態では、コネクタ１１０は、近位端部から、０ｍｍ、３００ｍｍ及び１４００ｍｍの距離で離れて配置される。
【００２２】
コネクタ１１０は、血管内装置１００と他の装置との間の通信を円滑にするべく構成される。より具体的には、いくつかの実施形態では、コネクタ１１０は、コンポーネント１０８により得られたデータの、計算装置又は処理装置のような他の装置への通信を円滑にするべく構成される。従って、いくつかの実施形態では、コネクタ１１０は、電気コネクタである。そのような例では、コネクタ１１０は、フレキシブル長尺部材１０２の長さに沿って延びてコンポーネント１０８に電気的に連結された一以上の導電体への電気接続をもたらす。本開示に従う電気コネクタのいくつかの特定の実施形態は、図５〜１１のなかで後述する。他の実施形態では、コネクタ１１０は光コネクタである。そのような例では、コネクタ１１０は、フレキシブル長尺部材１０２の長さに沿って延びてコンポーネント１０８に光学的に連結される一以上の光通信経路（たとえば光ファイバーケーブル）への光接続を与える。また、いくつかの実施形態では、コネクタ１１０は、コンポーネント１０８に連結された導電体及び光通信経路の両方への電気及び光の両方の接続を与える。その点において、コンポーネント１０８は、いくつかの例では複数の要素からなることに再度留意すべきである。いくつかの例では、コネクタ１１０は、他の装置への直接又は間接的な物理接続を与えるべく構成される。他の例では、コネクタ１１０は、血管内装置１００と他の装置との間の無線通信を円滑にするべく構成される。一般に、任意の現在の、又は将来的に開発される無線プロトコルを用いることができる。さらに他の例では、コネクタ１１０は、他の装置への物理及び無線接続の両方を円滑にする。
【００２３】
上述したように、いくつかの例では、コネクタ１１０は、血管内装置１００のコンポーネント１０８と外部装置との間の接続をもたらす。従って、いくつかの実施形態では、一以上の導電体、一以上の光通信経路、及び／又は、それらの組合せは、コネクタ１１０とコンポーネント１０８との間で、フレキシブル長尺部材１０２の長さに沿って延びて、コネクタ１１０とコンポーネント１０８との間の通信を円滑なものとする。一般に、任意の数の導電体、光通信経路及び／又は、それらの組合せは、コネクタ１１０とコンポーネント１０８との間のフレキシブル長尺部材１０２の長さに沿って延びることができる。いくつかの例では、１個〜１０個の導電体及び／又は光通信経路が、コネクタ１１０とコンポーネント１０８との間で、フレキシブル長尺部材１０２の長さに沿って延びる。明確さ及び単純さのため、後述する本開示の実施形態は、３個の導電体を含む。しかしながら、通信経路の総数並びに／又は、導電体及び／もしくは光通信経路の数は、他の実施形態では異なる。より具体的には、フレキシブル長尺部材１０２の長さに沿って延びる通信経路の数並びに、導電体及び光通信経路の数は、コンポーネント１０８の必要な機能及び、コンポーネント１０８を規定する対応する要素により決定し、それにより、そのような機能を実現することができる。
【００２４】
次に図２を参照すると、本開示の実施形態に従う血管内装置２００の断面図が示されている。図示のように、血管内装置２００は、近位部２０２、中間部２０４、遠位部２０６を含む。一般に、近位部２０２は、患者の外側に配置されるべく構成され、この一方で、遠位部２０６及び、中間部２０４の大部分は、人体の脈管を含む患者内に挿入されるべく構成される。この点において、中間部及び遠位部２０４は、いくつかの実施形態では、約０．０００７”（０．０１７８ｍｍ）と約０．１１８”（３．０ｍｍ）との間の外径を有し、いくつかの特定の実施形態は、およそ０．０１４”（０．３５５６ｍｍ）又は、およそ０．０１８”（０．４５７２ｍｍ）である。図２に例示する実施形態では、血管内装置２００は、０．０１４”（０．３５５６ｍｍ）の外径を有する。
【００２５】
図示のように、血管内装置２００の遠位部２０６は、要素２０８により画定される遠位端２０７を有する。図示の実施形態では、遠位端２０７は丸い形状を有する。いくつかの例では、要素２０８はＸ線不透過性であり、それにより、遠位端２０７は、患者内に配置された際に、Ｘ線、蛍光透視法及び／又は他の撮像モダリティの下で確認することができる。いくつかの特定の実施形態では、要素２０８は、フレキシブル要素２１０及び／又は扁平な先端コア２１２に、半田固定されている。この点において、いくつかの例では、フレキシブル要素２１０は、コイルスプリングである。扁平な先端コア２１２は、遠位コア２１４から遠位側に延びる。図示のように、遠位コア２１４は、それが遠位端２０７に向けて遠位側に延びるにつれて、先細りになる細い形状である。いくつかの例では、遠位コア２１４は、所望のテーパ形状となるように、すり減らされたステンレス鋼で形成される。いくつかの例では、遠位コア２１４又は、少なくともその一部は、扁平であり、血管内装置２００の無傷端を画定する。いくつかの特定の例では、遠位コア２１４は、３０４Ｖの高い引張強度のステンレス鋼で形成される。他の実施形態では、遠位コア２１４は、ニチノール・コアの周囲に、ステンレス鋼成形リボンを巻き付けることにより形成される。半田箇所２１６は、遠位コア２１４を取り付け構造２１８に取り付ける。取り付け構造２１８は、コンポーネント２２０を受け入れるとともに固定して保持する。この点において、コンポーネント２２０は、一以上の電子コンポーネント、光学コンポーネント及び／又は電気光学コンポーネントである。たとえば、コンポーネント２２０は、圧力センサ、温度センサ、撮像素子、光ファイバー、超音波振動子、反射器、ミラー、プリズム、アブレーション素子、ＲＦ電極、導体及び／又はそれらの組合せ等のタイプの一以上のコンポーネントとすることができるが、これに限定されるものではない。
【００２６】
取り付け構造２１８は、血管内装置２００の遠位部２０６内に固定して取り付けられる。詳細を後述するように、図３〜２３の例示的な実施形態のなかで、取り付け構造２１８は、一以上のコア（たとえば、取り付け構造の長さに沿って延びるシングルコア、近位コア、遠位コア、近位コアと遠位コアの両方）及び／又はハイポチューブ又は、取り付け構造の少なくとも一部を取り囲む他の構造に固定して取り付けられることができる。図示の実施形態では、取り付け構造は、フレキシブル要素２１０及び／又はフレキシブル要素２２４内に配置されて、接着剤又は半田２２２により所定の位置に取り付けられる。いくつかの例では、フレキシブル要素２２４は、ポリマー塗膜で覆われたリボンコイルである。たとえば、一の実施形態では、フレキシブル要素２２４は、ポリエチレンテレフタレート（ＰＥＴ）でコーティングされたステンレス鋼のリボンワイヤーコイルである。他の実施形態では、フレキシブル要素は、ポリイミド管であり、その内部に埋め込まれたリボンワイヤーコイルを有する。たとえば、いくつかの例では、埋め込まれたコイルを有するポリイミド又はペバックス（登録商標）の管が、フレキシブル要素２２４に用いられる。いくつかの特定の実施形態では、リボンワイヤーコイルは、ポリイミド管の内径に埋め込まれる。いくつかの例では、取り囲む周囲圧力が、コンポーネント２２の圧力検出の実行に到達することを許容するように、管に開口部が形成される。従って、いくつかの実施においては、埋め込まれたリボンコイルのピッチ及び／又は間隔は、開口部が管の周囲のポリマー部分を単独で通るように（コイルを通過するのではない）形成され、かつ、正確な圧力測定を容易にするべく十分なアクセスをもたらすように、適切な間隔を有する。接着剤２２２は、いくつかの実施においては、取り付け構造２１８をフレキシブル要素２１０及び／又はフレキシブル要素２２４に取り付けるために用いられる。従って、いくつかの例では、接着剤は、アクリル酸ウレタン、シアノアクリレート、シリコーン、エポキシ樹脂及び／又はその組合せである。
【００２７】
取り付け構造２１８はまた、取り付け構造から血管内装置２００の中間部２０４に向けて近位側に延びるコア２２６に取り付けられる。この点において、コア２２６の遠位部２２８は、取り付け構造２１８に向けて遠位側に延びるにつれて先細りになる。コア２２６の遠位部２２８の遠位端部は、取り付け構造２１８に固定して取り付けられる。いくつかの例では、コア２２６の遠位端部は、取り付け構造２１８に、半田付けされる。図示のように、接着剤２３０は、コア２２６の遠位部２２８の少なくとも一部を取り囲む。いくつかの例では、接着剤２３０は、取り付け構造２１８をフレキシブル要素２１０及び／又はフレキシブル要素２２４に取り付けるために用いられる接着剤２２２である。他の例では、接着剤２３０は、接着剤２２２とは異なるタイプの接着剤である。一の特定の実施形態では、接着剤又は半田２２２は、取り付け構造をフレキシブル要素２１０に取り付けることに特に適しているが、この一方で、接着剤２３０は、取り付け構造をフレキシブル要素２２４に取り付けることに特に適している。
【００２８】
通信ケーブル２３２は、血管内装置２００の長さに沿って近位部２０２から遠位部２０６に延びる。この点において、通信ケーブル２３２の遠位端部は、接合部２３４でコンポーネント２２０に連結される。通信ケーブルのタイプは、コンポーネント２２０を構成する電子、光学及び／又は電気光学コンポーネントのタイプに依存する。その点において、通信ケーブル２３２は、一以上の伝導体、光ファイバー及び／又はその組合せを含むことができる。通信ケーブル２３２内に含まれる通信回線のタイプに基き、接合部２３４には適切な接続が用いられる。たとえば、いくつかの例では電気接続は、半田付けされるが、いくつかの例では光接続は、光コネクタを通過する。いくつかの実施形態では、通信ケーブル２３２は、三重巻き構造（a trifilar structure）である。また、血管内装置２００のそれぞれの近位部２０２、中間部２０４及び／又は遠位部２０６の全体及び／又は一部は、２０１２年６月２８日に出願された米国仮特許出願第６１／６６５，６９７号の図２〜５に示されているような断面形状を有することができると理解され、これは、参照によりその全体をここに組み込む。
【００２９】
また、いくつかの実施形態では、近位部２０２及び／又は遠位部２０６は、２０１２年６月２８日に出願された米国仮特許出願第６１／６６５，６９７号に開示されているような螺旋状リボン管を包含する。いくつかの例では、そのような螺旋状リボン管を使用することは、装置内の利用可能な内腔スペースをさらに増大させることを可能にする。たとえば、いくつかの例では、約０．００１”と約０．００２”との間の壁の厚みを有する螺旋状リボン管を使用することは、外径が少なくとも０．００９５”であるコアワイヤーを、円形断面の導体形状の三重巻きを用いた外径が０．０１４”のガイドワイヤー内で使用することを円滑にする。扁平な楕円形（oblong）の断面の導体形状の三重巻きを用いることにより、上記のコアワイヤーのサイズはさらに、少なくとも０．０１０”に増大させることができる。増大された外径のコアワイヤーを使用する可能性は、特に、増大されたコア外径（たとえば、０．００７５”以上のコア外径）を有する超弾性材料が、遠位部２０６内に用いられる場合、ガイドワイヤーのハンドリング性能または構造的完全性に悪影響を与えることなしに、通常のステンレス鋼コアワイヤーより低い弾性率の材料の使用を可能にし、多くの場合、ガイドワイヤーのハンドリング性能の改善をもたらす（たとえば、いくつかの例ではニチノールまたはＮｉＴｉＣｏのような超弾性材料が用いられる）。
【００３０】
血管内装置２００の遠位部２０６はまた、少なくとも一の撮像マーカー２３６を選択的に含む。この点において、撮像マーカー２３６は、血管内装置２００の遠位部２０６が、患者内に配置された際に、Ｘ線、蛍光透視法、血管造影、ＣＴスキャン、ＭＲＩ又は他の方法の外部撮像モダリティを用いることと同一に扱えるように構成される。図示の実施形態では、撮像マーカー２３６は、コア２２６のテーパ状の遠位部２２８の周囲に配置されたＸ線不透過性コイルである。治療の間における撮像マーカー２３６の可視化は、医療関係者に、患者内の病変又は関心領域のサイズの指標を与えることができる。そのため、解剖構造とともに撮像マーカー２３６及び／又は要素２０８の可視化によって、ユーザが、解剖構造の関心領域のサイズ又は長さを推定することができるように、撮像マーカー２３６は、既知の長さ（たとえば、０．５ｃｍ又は１．０ｃｍ）を有するものとすること、及び／又は、既知の距離（たとえば、３．０ｃｍ）で要素２０８から離れて位置するものとすることが可能である。いくつかの例では、複数の撮像マーカー２３６が用いられることが理解される。この点において、いくつかの例では、撮像マーカー２３６は、互いに既知の距離で離隔して位置するものとし、それにより、関心領域のサイズ又は長さの測定を容易にすることができる。
【００３１】
いくつかの例では、コア２２６の近位部は、血管内装置の中間部２０４を通って延びるコア２３８に取り付けられる。この点において、コア２２６とコア２３８との間の遷移は、遠位部２０６内、中間部２０４内、及び／又は、遠位部２０６と中間部２０４との間の遷移で生じ得る。たとえば、図示の実施形態では、コア２２６とコア２３８との間の遷移は、フレキシブル要素２２４とフレキシブル要素２４０との間の遷移の近傍に生じる。フレキシブル要素２４０は、図示の実施形態ではハイポチューブである。いくつかの特定の例では、フレキシブル要素は、ステンレス鋼ハイポチューブである。また、図示の実施形態では、フレキシブル要素２４０は、コーティング２４２に覆われている。この点において、コーティング２４２は、いくつかの例では疎水性コーティングである。いくつかの実施形態では、コーティング２４２は、ポリテトラフルオロエチレン（ＰＴＦＥ）のコーティングである。いくつかの実施においては、フレキシブル要素２４０は、フレキシブル要素２２４より大きな構造支持をもたらすべく構成される。たとえば、いくつかの例では、フレキシブル要素２４０は、押し易さ及びトルクアビリティの増大をもたらす。また、いくつかの例では、フレキシブル要素２２４の主要機能には、装置誘導のための一定の外径を与えること、及び、滑らかなコーティング（たとえば、いくつかの例では親水性コーティング）の基板の役割を果たすことが含まれる。いくつかの例では、遠位コア２２６が、脈管に入る血管内装置２００の部分の機能のために必要な所望の構造支持及びトルク応答性をもたらす間、フレキシブル要素２２４は、最小限の構造支持、及び／又は、トルクアビリティをもたらす。
【００３２】
コア２２６の近位部は、コア２３８の遠位部に固定して取り付けられる。この点においては、コア２２６、２３８を互いに取り付けられる任意の適切な技術を用いることができる。いくつかの実施形態では、少なくとも一のコア２２６、２３８は、プランジ・グラインド（a plunge grind）又は、コアをともに連結することに用いられる他の構造的変化を含む。いくつかの例では、コア２２６、２３８はともに、半田付けされる。いくつかの例では、コア２２６、２３８をともに取り付けることに、接着剤が用いられる。いくつかの実施形態では、コア２２６、２３８をともに取り付けることに、構造的結合、半田付け及び／又は接着剤の組合せが用いられる。いくつかの例では、コア２２６は、コア２３８に固定して取り付けられない。たとえば、いくつかの例では、コア２２６及びコア２４６は、ハイポチューブ２４０に固定して取り付けられるとともに、コア２３８は、コア２２６及び２４６の間に配置され、このことは、コア２２６及び２４６の間へのコア２３８の配置を維持する。
【００３３】
いくつかの実施形態では、コア２３８は、コア２２６とは異なる材料で形成される。たとえば、いくつかの例では、コア２２６はニチノールで形成され、またコア２３８はステンレス鋼で形成される。他の例では、コア２３８及びコア２２６は、同じ材料で形成される。いくつかの例では、コア２３８は、コア２２６とは異なる形状、たとえば、より大きな、もしくは小さな径、及び／又は、非円形断面形状のような形状を有する。たとえば、いくつかの例では、コア２３８は、Ｄ状の断面形状を有する。この点において、Ｄ状の断面形状は、一以上の電子、光学又は電気光学コンポーネントを含む血管内装置２００のなかでいくつかの利点があり、これは、全直径のコアよりも強度の増加をもたらすと同時に、内部に任意の必要な通信ケーブルが延びる通常のスペースを与える。
【００３４】
いくつかの例では、コア２３８の近位部は、血管内装置２００の近位部２０２の少なくとも一部を通って延びるコア２４６に取り付けられる。この点において、コア２３８とコア２４６との間の遷移は、近位部２０２内、中間部２０４内、及び／又は、近位部２０２と中間部２０４との間の遷移で生じ得る。たとえば、図示の実施形態では、コア２３８とコア２４６との間の遷移は、複数の伝導バンド２４８の遠位側に位置する。この点において、いくつかの例では、伝導バンド２４８は、ハイポチューブの一部である。通信ケーブル２３２の近位部は、伝導バンド２４８に連結される。この点において、いくつかの例では、各伝導バンドは、通信ケーブル２３２の対応する通信回線に関連付けられる。たとえば、通信ケーブル２３２が三重巻きからなる実施形態では、３つの各伝導バンド２４８は、たとえば、各伝導バンドを各導体に半田付けすること等により、三重巻きの導体の一つに接続される。通信ケーブル２３２が光通信回線を含む場合、血管内装置２００の近位部２０２は、一以上の伝導バンド２４８に加えて、又はそれに代えて、光コネクタを含む。絶縁層又はスリーブ２５０は、伝導バンド２４８をコア２４６から分離させる。いくつかの例では、絶縁層２５０はポリイミドで形成される。
【００３５】
上述したように、コア２３８の近位部は、コア２４６の遠位部に固定して取り付けられる。この点においては、コア２３８、２４６を互いに取り付けるための任意の適切な技術を用いることができる。いくつかの実施形態では、少なくとも一のコアは、コアをともに連結するために用いられる構造的特徴を含む。図示の実施形態では、コア２３８は、コア２４６の遠位部の周囲に延びる延在部２５２を含む。いくつかの例では、コア２３８、２４６はともに、半田付けされる。いくつかの例では、コア２３８、２４６をともに取り付けるため、接着剤が用いられる。いくつかの実施形態では、コア２３８、２４６をともに取り付けるため、構造的結合、半田付け及び／又は接着剤が用いられる。いくつかの例では、コア２２６は、コア２３８に固定して取り付けられない。たとえば、いくつかの例では、上述したように、コア２２６及びコア２４６は、ハイポチューブ２４０に固定して取り付けられるとともに、コア２３８は、コア２２６及び２４６の間に配置され、これは、コア２２６及び２４６の間へのコア２３８の配置を維持する。いくつかの実施形態では、コア２４６は、コア２３８とは異なる材料で形成される。たとえば、いくつかの例では、コア２４６は、ニチノール及び／又はＮｉＴｉＣｏ（ニッケル―チタン―コバルト合金）で形成され、また、コア２３８はステンレス鋼で形成される。この点において、伝導バンド２４８内で、ステンレス鋼に代えてニチノール・コアを用いることにより、ステンレス鋼コアと比較して大きなニチノール・コアの柔軟性に起因して、捩れの可能性は大きく減少する。他の例では、コア２３８及びコア２４６は、同じ材料で形成される。いくつかの例では、コア２３８は、コア２４６とは異なる形状、たとえば、より大きな、もしくは小さな径、及び／又は、非円形断面形状のような形状を有する。
【００３６】
次に図３〜２３を参照するに、ここでは、血管内装置内で使用するための取り付け構造の様々な実施形態が示されている。いくつかの実施形態では、本開示の取り付け構造は、０．０１８”又は０．０１４”の径を有するガイドワイヤー内で使用するためのサイズ及び形状である。初めに図３及び４を参照すると、ここでは、取り付け構造３００が示されている。先に詳細に述べたように、取り付け構造３００は、取り付け構造の長さに沿って延びるコアとともに用いるべく構成される。従って、いくつかの実施形態では、取り付け構造３００が、上述した血管内装置２００の取り付け構造２１８として用いられる場合、遠位コア２１４及び近位コア２２６は、取り付け構造３００に沿って、及び／又はそれを通って延びるシングルコアにより画定される。
【００３７】
図示のように、取り付け構造３００は、血管内装置の他のコンポーネントとの連結を円滑なものとするため、様々な構造的特徴を有する本体部３０２を含む。たとえば、本体部３０２は、血管内装置の検出コンポーネントを受容するべく構成された凹部３０４を含む。図示の実施形態では、凹部３０４は、圧力検出素子とともに用いることに特に適している。この点において、凹部３０４は、部分３０６及び部分３０８を含む。部分３０６は、部分３０８よりも広い形状を有する。従って、いくつかの実施においては、部分３０６は、圧力検出素子の本体部分を受け入れるサイズ及び形状を有するが、部分３０８は、圧力検出素子の稼働部分の一部（たとえば、圧力検出ダイヤフラムを含む片持ち構造等）を受け入れるサイズ及び形状を有する。いくつかの例では、部分３０８は、本体部３０２の上面（図３に示す）に対し、部分３０６よりも大きな距離で窪んでいる。そのような構成は、ダイヤフラム又は他の圧力検出部を、凹部３０８内に表向きで又は裏向きで配置することを可能にする。他の例では、部分３０６及び３０８は、本体部３０２の上面に対して同じ深さを有する。本体部３０２はまた、凹部３０４に近位側で、かつ該本体部の近位部３１２に隣接する凹部３１０を含む。いくつかの例では、凹部３１０は、凹部３０４内に取り付けられた検出素子への導体の接続を容易なものとするようなサイズ及び形状を有する。たとえば、いくつかの実施においては、導体を凹部３１０内に配置することにより、三重巻きの導体が、凹部３０４内に着座した圧力検出素子に接続される。本体部３０２は、近位部３１２とは逆側の遠位部３１４を含み、これは、遠位コア、遠位コイル及び／又は他の構成のような、ガイドワイヤーの遠位端のコンポーネントに連結するべく構成される。
【００３８】
図４に最も良く見えるように、本体部３０２は、近位部３１２と遠位部３１４との間で、取り付け構造３００の長さに沿って延びる凹部もしくは開口部３１６を画定する。この点において、凹部もしくは開口部３１６は、コアワイヤーと連結するサイズ及び形状を有する。いくつかの例では、コアワイヤーは、凹部／開口部３１６内に配置され、そして、半田、接着剤及び／又は他の適切な技術を用いて、所定の位置に固定して取り付けられる。図４にも示すように、取り付け構造３００の本体部３０２は、最大高さ３１８最大幅３２０を有する。いくつかの実施形態では、最大高さ３１８は、約０．１２５ｍｍと約０．４００ｍｍの間であり、いくつかの０．０１４”の外径の装置は、およそ０．２００ｍｍの最大高さを有し、いくつかの０．０１８”の外径の装置は、およそ０．３００ｍｍの最大高さを有する。いくつかの実施形態では、最大幅３２０は、約０．２８ｍｍと約０．５０ｍｍの間であり、いくつかの０．０１４”の外径の装置は、およそ０．２９５ｍｍの最大幅を有し、いくつかの０．０１８”の外径の装置は、およそ０．４５０ｍｍの最大高さを有する。図示の実施形態では、取り付け構造３００の側部は、全体が丸い、もしくはアーチ状の形状を有する。この点に関し、丸い／アーチ状の側部の曲率半径もしくは比は、取り付け構造３００が組み込まれるガイドワイヤーの所望の外径（たとえば、０．０１４”、０．０１８”等）に基いて決定される。後述するように、本体部３０２の丸い／アーチ状の形状は、いくつかの例では、本体部３０２を構成する複数の層の隣接する材料層の幅を変化させることにより、段階的な方法で画定される。図３に示すように、本体部３０２はまた、その近位端部と遠位端部との間の長さ３２２を有する。いくつかの実施形態では、長さ３２２は、約１．５ｍｍと約２．２ｍｍの間である。
【００３９】
図４に示すように、本体部３０２は、複数層の材料層で構成される。図示の実施形態では、本体部３０２は、層３３０、３３１、３３２、３３３、３３４、３３５、３３６、３３７及び３３８を含む。一般に、本開示に従う構造は、２層と１５層の間の材料層を用いることができ、それにより、必要な三次元構造レイアウトを画定する。しかしながら、０．０１４”の外径を有するガイドワイヤー内で用いる多くの構造は、６層と１２層との間の材料層を用いるだろう。この点に関し、層３３０は、本体部３０２の底面を画定し、層３３８は、本体部の上面を画定し、そして、層３３１、３３２、３３３、３３４、３３５、３３６及び３３７は、それらの間の中間層である。図示の実施形態では、層３３０、３３１、３３２、３３３、３３４、３３５、３３６、３３７及び３３８は、プレート状構造（すなわち、一般に一定の厚みを有する平行な上面及び下面）である。いくつかの実施形態では、各層は、約０．０１ｍｍと約０．２５ｍｍの間の厚み（すなわち、層の上側の境界と下側の境界との間で本体部３０２の高さ３１８の方向に測定した）厚みを有する。いくつかの実施形態では、少なくとも層３３０、３３１、３３２、３３３、３３４、３３６、３３７及び３３８のそれぞれは、共通の厚みを有する。また、層３３５は、図４の他の層３３０、３３１、３３２、３３３、３３４、３３６、３３７及び３３８に比して厚みの厚い単一層として認識されるが、いくつかの例では、層３３５は、共通の厚みを有する複数の層からなり、これらはともに連結されて集合層３３５をなすものと理解される。
【００４０】
各層３３０、３３１、３３２、３３３、３３４、３３５、３３６、３３７及び３３８の配置を正確に規定し、そして層をともに配置することにより、結果として得られる本体部３０２は、極めて正確な構造を画定することができる。たとえば、凹部３０４の境界は正確に画定され、それにより、その凹部内に取り付けられる圧力センサのそれらを整合させることができる。この点に関し、図３に例示する実施形態は、凹部３０４の一部３０６と部分３０８との間に延びる、角のある表面からなるテーパ状の遷移を示す。いくつかの例では、テーパ状の遷移は、層３３７及び３３８により画定されるが、部分３０６の表面は、層３３６により画定される。そのため、いくつかの実施形態では、各層の製造においてミクロンレベルの正確性を可能にする製造技術が用いられ、それにより、本体部３０２の得られる構造におけるミクロンレベルの正確性を実現することができる。（たとえば、血管を通過する血管内装置の湾曲からの）検出素子への外力の伝達は、検出素子の得られる測定値の誤差をもたらし得るが、本体部３０２の正確性の向上は、そのような外力の伝達を制限するために必要な構造支持が、取り付け構造の最小のサイズを通じて達成されることを可能にする。本開示の複数層構造を用いることができる取り付け構造３００のサイズの縮小の結果として、血管内装置の遠位部の全体の柔軟性は向上し、このことは、血管内装置のより良好な操縦性及びコントロールにつながる。
【００４１】
いくつかの例では、取り付け構造３００及び、本出願の他の取り付け構造は、次のステップの一以上を用いて製造される。初期ステップとして、取り付け構造の本体部３０２のための構造設計が構築される。この点に関し、本体部３０２の構造設計は、ガイドワイヤー径、検出素子の特性（たとえば、タイプ、サイズ、形状、必要な通信回線等）、ガイドワイヤーの必要な柔軟性、コアワイヤーの連結部、ハイポチューブ特性、取り付け構造の必要な剛性、及び／又は、取り付け構造に関する構成、及び／又は、ガイドワイヤーの関連するコンポーネントの検討を考慮する。構造設計に基いて、本体部３０２は、複数層の個々の材料層に分離される。この点に関し、各層は、全体の構造設計に基き、規定された二次元形状を有する。複数層の各層の厚みは、全体の構造設計に基いて決定される。上述したように、複数層の層は、共通の厚み、異なる厚み、及び／又はその組合せを有する。いくつかの例では、各層の厚みは、約５μｍと約２５μｍの間である。複数の層に分離された構造設計では、装置の一以上のコピーが、ウェハ上に配置される。装置のサイズに応じて、１０から１００、１０００に至る装置のレイアウトは、単一のウェハ上に配置することができる。フォトマスクは、いくつかの例では、各層に製造される。ウェハレイアウトが設置されてフォトマスクの準備ができると、犠牲層（たとえば銅）が、ウェハ（たとえばセラミックウェハ）上に電気めっきされる。当業者に理解されるように、犠牲層は、製造した取り付け構造をウェハから剥離させる加工プロセスの最後に除去される（たとえばエッチングされる）。蒸着した犠牲層で、ウェハにフォトレジストの正確な厚みが適用される。そして、フォトレジストの上部には、適切なフォトマスクが配置される。この点において、取り付け構造３００は、層３３０から始めて層３３８に向かうことによって形成され、又は、層３３８から始めて層３３０に向かうことにより形成されることができる。従って、形成の順序に応じて、適切なフォトマスクが用いられる。フォトマスクは、フォトレジストの表面上にパターンを形成するため、紫外線に晒される。
【００４２】
フォトレジスト上にパターンを形成した状態で、ウェハは、電着セル又はチャンバー内に配置される。電着セル又はチャンバーは、パターンに従って、金属イオンの蒸着をもたらす。この点に関し、使用される金属イオンは、得られる取り付け構造に必要な金属に依存する。いくつかの例では、金属は、パラジウム、ニッケル−コバルト合金（一の実施形態では８０％ニッケル、２０％コバルト）、及び／又は、他の適切な金属である。金属層が蒸着した状態で、フォトレジストは除去されるとともに、犠牲材料（たとえば銅）は、フォトレジストが除去されたところに蒸着される。犠牲材料は、本体部の層の間の任意の間隙を満たし、次の層の形成のための安定した導電構造の役割を果たす。蒸着金属及び犠牲層はその後、本体部のその層に必要な厚みに平坦化される。平坦化プロセスは、層が、所望の厚み、平坦性、取り付け構造の形成に必要な平行表面を有するものとなることを保証する。いくつかの実施形態では、平坦化プロセスは、そのような構成を２ミクロン内に制御する。フォトレジストの適用、フォトマスクを用いるパターニング、パターン内への金属の蒸着、フォトレジストの除去、犠牲材料の適用、平坦化のプロセスは、本体部の各層で繰り返される。この点に関し、本開示の取り付け構造は一般に、６層と１５層の間の層を有するが、いくつかの実施形態は、それによりも多い、又は少ない層を有することができる。全ての層が形成されると、全ての犠牲層は除去され、得られた装置を画定して、それをウェハから解放する。いくつかの特定の実施形態では、本開示の取り付け構造は、カナダのバンナイズに営業所を有するマイクロファブリカ（登録商標）により製造される。
【００４３】
次に図５〜７を参照するに、ここでは、本開示の他の実施形態に従う取り付け構造３５０が示されている。先に詳細に説明したように、取り付け構造の長さに沿って延びるコアとともに使用するための取り付け構造３００とは異なり、取り付け構造３５０は、二個のコア、特に、取り付け構造から近位側に延びる近位コア及び、取り付け構造から遠位側に延びる遠位コアとともに使用するべく構成される。従って、取り付け構造３５０が、上述した血管内装置２００の取り付け構造２１８として用いられるいくつかの実施形態では、遠位コア２１４及び近位コア２２６はそれぞれ、遠位側及び近位側で取り付け構造３５０に連結される。
【００４４】
図示のように、取り付け構造３５０は、様々な構造的特徴を有する本体部３５２を含み、それにより、血管内装置の他のコンポーネントとの連結を容易なものとする。たとえば、本体部３５２は、血管内装置の検出コンポーネントを受容するべく構成された凹部３５４を含む。図示の実施形態では、凹部３５４は特に、圧力検出素子とともに用いることに適している。この点に関し、凹部３５４は、部分３５６及び部分３５８を含む。部分３５６は、部分３５８より広い形状を有する。従って、いくつかの実施においては、部分３５６は、圧力検出素子の本体部分を受け入れるサイズ及び形状を有するが、部分３５８は、圧力検出素子の可動部分の一部（たとえば、圧力検出ダイヤフラムを含む片持ち構造）を受け入れるサイズ及び形状を有する。いくつかの例では、部分３５８は、本体部３５２の上面（図５及び６にて示すように）に対し、部分３５６よりも大きな距離で窪む。そのような構成は、ダイヤフラム又は他の圧力検出部を、凹部３５８内に表向きで及び／又は裏向きで配置することを可能にする。他の例では、部分３５６及び３５８は、本体部３５２の上面に対して同じ深さを有する。本体部３５２はまた、凹部３５４の近位側で本体部の近位部３６２に隣接する凹部３６０を含む。いくつかの例では、凹部３６０は、凹部３５４内に取り付けられた検出素子への導体の接続を容易なものとするサイズ及び寸法を有する。たとえば、いくつかの実施においては、三重巻きの導体は、凹部３６０内に、かつそれに沿って導体を配置することにより、凹部３５４内に着座した圧力検出素子に接続される。本体部３５２は、遠位コア、遠位コイル及び／又は他の構成のような、ガイドワイヤーの遠位端のコンポーネントと連結するべく構成された近位部３６２とは逆側の遠位部３６４を含む。
【００４５】
図６及び７に示すように、近位コア３７０は、本体部３５２の近位部３６２に連結される。図示の実施形態では、コア３７２は、遠位端３７２と、遠位端（図７に示す）に対して径もしくは外形を減少させた遠位端３７２から近位側に延びる箇所３７４と、箇所３７４から近位側に延びる箇所３７６とを含む。図示のように、箇所３７６は、箇所３７４に対して大きな径もしくは外形を有する。いくつかの実施形態では、箇所３７６及び遠位端３７２は、同じ、又は実質的に同等の径もしくは外形を有する。図示の実施形態では、コア３７０は、箇所３７４と各遠位端３７２と箇所３７６との間に、テーパ状の遷移を含む。しかしながら、他の実施形態では、遷移は階段状である。コア３７０は、取り付け構造３５０の近位部３６２内に画定された凹部もしくは開口部３７８を介して、本体部３０２に取り付けられる。この点に関し、凹部もしくは開口部３７８は、取り付け構造３５０の長さに沿って、本体部３５２の近位端部から遠位側に延びる。いくつかの実施形態では、凹部もしくは開口部３７８は、凹部もしくは開口部３７８内に配置されたコアが、取り付け構造３５０及び／又は、内部に取り付け構造を設けるガイドワイヤーの中央縦軸と同軸に配置されるように構成される。他の例では、凹部もしくは開口部は、凹部もしくは開口部３７８が、取り付け構造３５０及び／又は、内部に取り付け構造を設けるガイドワイヤーの中央縦軸に対してずれるように構成される。図示の実施形態では、開口部３７８は、コア３７０が、図６及び７から解かるように、取り付け構造３５０の中央縦軸に対して、下方向に僅かにずれるように構成されている。
【００４６】
図７に示すように、凹部もしくは開口部３７８は、部分３８０及び部分３８２を含む。部分３８２は、本体部３０２の近位端部から部分３８０へ遠位側に延びる。図示のように、部分３８０は、部分３８２に対して大きな径もしくは外形を有する。この点において、凹部もしくは開口部３７８及び、特に部分３８０、３８２は、コアワイヤーと連結するサイズ及び形状を有する。たとえば、図示の実施形態では、部分３８０は、コア３７０の遠位端３７２と連結するサイズ及び形状を有するが、部分３８２は、遠位端３７２がそれを通って部分３８０に至るとともに、コアが凹部もしくは開口部３７８内に着座すると、コアの箇所３７４と連結することを許容するサイズ及び形状を有する。この点において、コア３７０は、いくつかの例では、半田３８４を用いて、凹部もしくは開口部３７８内の所定の位置に固定して取り付けられる。この点に関し、部分３８０を満たす半田３８４は、遠位端及び関連する半田が、凹部もしくは開口部３７８の部分３８２を通過できないように、コア３７０の遠位端３７２に固着し、それにより、機械的及び／又は化学的に、コア３７０を取り付け構造３５０に取り付けることができる。他の例では、接着剤及び／又は、コア３７０を本体部３５２に固定するための他の適切な技術が用いられる。凹部もしくは開口部３７８の形状、サイズ及び向きは、異なるコア形状、サイズ及び材料を含む異なるタイプのコアに適合するように変更することができる。従って、たとえば、凹部もしくは開口部３７８は、一定の形状、一以上の階段状の遷移、一以上のテーパ状の遷移及び／又は、必要に応じた他の変更を有するものとすることができる。また、遠位コアを本体部３５２の遠位部３６４に接続するため、同様のアプローチが用いられると理解される。
【００４７】
一般に、取り付け構造３５０の本体部３５２は、約０．１２５ｍｍと約０．４００ｍｍの間の最大高さ、約０．２８ｍｍと約０．５０ｍｍの間の最大幅、約１．５ｍｍと約２．２ｍｍの間の長さを有する。また、図示の実施形態では、取り付け構造３５０の側部は、図６に示すように、全体が丸い、又はアーチ状の形状を有する。この点に関し、丸い／アーチ状の側の曲率半径もしくは比は、内部に取り付け構造３５０が組み込まれるガイドワイヤーの所望の外径（たとえば、０．０１４”、０．０１８”等）に基いて決定される。本体部３５２の丸い／アーチ状の形状は、いくつかの例では、本体部３５２を構成する複数層の隣接する材料層の幅を変化させることにより、階段状の方法で画定される。この点に関し、本体部３５２は、いくつかの実施形態では、取り付け構造３００に関して先に詳細に述べたように、複数層の材料層で構成される。また、各層の配置を正確に規定し、そして層をともに構成することにより、その結果として得られる本体部３５２は、構造支持をもたらすとともに、ガイドワイヤーの他のコンポーネントと連結するべく構成された極めて正確な構造を画定することができる。そのため、いくつかの実施形態では、各層（先に述べた層等）の製造におけるマイクロレベルの正確性を可能にするとともに、それによって、本体部３５２の得られる構造におけるマイクロレベルの正確性をもたらす製造技術が用いられる。（たとえば、血管を通る血管内装置の湾曲からの）検出素子への外力の伝達は、検出素子の得られる測定値の誤差を引き起こし得るが、本体部３５２の正確性の向上は、そのような外力の伝達を制限するために必要な構造支持が、取り付け構造の最小のサイズを通じて達成されることを可能にする。本開示の複数の層を用いることができる取り付け構造３５０のサイズの縮小の結果として、血管内装置の遠位部の全体の柔軟性を向上させることができ、これは、血管内装置のより良好な操縦性及びコントロールをもたらす。
【００４８】
次に図８及び９を参照するに、ここでは、本開示の他の実施形態に従う取り付け構造４００が示されている。以下に詳細に説明するように、取り付け構造４００は、ハイポチューブ、コイル及び／又は、取り付け構造を少なくとも部分的に取り囲む他の要素と連結されるとともに、それに取り付けられるべく構成される。従って、たとえば、取り付け構造４００が、上述した血管内装置２００の取り付け構造２１８として用いられるいくつかの実施形態では、取り付け構造は、フレキシブル要素２２４及び／又はフレキシブル要素２１０に取り付けられる。取り付け構造４００はまた、いくつかの実施形態では、近位コア及び／又は遠位コアに取り付けられる。
【００４９】
図示のように、取り付け構造４００は、様々な構造的特徴を有する本体部４０２を含み、それにより、血管内装置の他のコンポーネントとの連結を容易にすることができる。たとえば、本体部４０２は、血管内装置の検出コンポーネントを受け入れるべく構成された凹部４０４を含む。図示の実施形態では、凹部４０４は特に、圧力検出素子とともに用いることに適している。この点に関し、凹部４０４は、部分４０６及び部分４０８を含む。部分４０６は、部分４０８よりも広い形状を有する。従って、いくつかの実施においては、部分４０６は、圧力検出素子の本体部分を受け入れるサイズ及び形状を有し、この一方で、部分４０８は、圧力検出素子の可動部分の一部（たとえば、圧力検出ダイヤフラムを含む片持ち構造）を受け入れるサイズ及び形状を有する。いくつかの例では、部分４０８は、本体部４０２の上面（図８に示す）に対し、部分４０６よりも大きな距離で窪む。そのような構成は、ダイヤフラム又は他の圧力検出部を、凹部４０８内に表向きで及び／又は裏向きで配置することを可能にする。他の例では、部分４０６及び４０８は、本体部４０２の上面に対して同じ深さを有する。本体部４０２はまた、凹部４０４の近位側で、本体部の近位部３１６に隣接する凹部４１０、４１２及び４１４を含む。図８に示すように、凹部４１４は、本体部４０２の上面に対し、凹部４１２よりも大きな距離で窪むが、凹部４１２は、本体部４０２の上面に対し、凹部４１０よりも大きな距離で窪む。いくつかの例では、凹部４１４は、本体部４０２への近位コアの接続を円滑なものとするサイズ及び形状を有する。いくつかの例では、凹部４１２は、本体部４０２から、ハイポチューブ又は、本体部の近位部に連結される他の管状構造の内腔内への三重巻き及び／又は他のタイプの通信ケーブルの通路を円滑なものとするサイズ及び形状を有する。いくつかの例では、凹部４１０は、凹部４０４内に取り付けられた検出素子への導体の接続を円滑なものとするサイズ及び形状を有する。たとえば、いくつかの実施においては、三重巻きの導体は、導体を凹部４１０内に、かつそれに沿って配置することにより、凹部４０４内に着座した圧力検出素子に接続される。本体部４０２は、遠位コア、遠位コイル及び／又は他の構成のような、ガイドワイヤーの遠位端のコンポーネントと連結されるべく構成された近位部４１６の逆側の遠位部４１８を含む。
【００５０】
一般に、取り付け構造４００の本体部４０２は、約０．１２５ｍｍと約０．４００ｍｍの間の最大高さ、約０．２８ｍｍと約０．５０ｍｍの間の最大幅、及び、約１．５ｍｍと約２．２ｍｍの間の長さを有する。また、図示の実施形態では、取り付け構造４００の側部は、図９に示すように、全体が丸い、又はアーチ状の形状を有する。この点に関し、丸い／アーチ状の側部の曲率半径もしくは比は、内部に取り付け構造４００が組み込まれるガイドワイヤーの所望の外径（たとえば０．０１４”、０．０１８”等）に基いて決定される。本体部４０２の丸い／アーチ状の形状は、いくつかの例では、本体部４０２を構成する複数層の隣接する材料層の幅を変化させることにより、段階的な方法で画定される。この点に関し、本体部４０２は、いくつかの実施形態では、取り付け構造３００に関して先に詳細に説明したように、複数層の材料層で構成される。また、各層の配置を正確に規定し、そして層をともに構成することにより、結果として得られる本体部４０２は、構造支持をもたらすとともに、ガイドワイヤーの他のコンポーネントと連結するべく構成された極めて正確な構造を画定することができる。そのため、いくつかの実施形態では、（上述したもののように）各層の製造におけるマイクロレベルの正確性を可能にするとともに、それによって、本体部４０２の得られる構造におけるマイクロレベルの正確性をもたらす製造技術が用いられる。（たとえば、血管を通る血管内装置の湾曲からの）検出素子への外力の伝達は、検出素子の得られる測定値の誤差を引き起こし得るが、本体部４０２の正確性の向上は、そのような外力の伝達を制限するために必要な構造支持が、取り付け構造の最小のサイズを通じて達成されることを可能にする。本開示の複数の層構成を用いることができる取り付け構造４００のサイズの縮小の結果として、血管内装置の遠位部の全体の柔軟性を向上させることができ、このことは、血管内装置のより良好な操縦性及びコントロールをもたらす。
【００５１】
次に図１０〜２３を参照すると、ここでは、本開示に従う取り付け構造の更なる例示的な実施形態が示されている。この点に関し、図１０〜２３の取り付け構造は、取り付け構造３００、３５０及び４００に関して上述した多くの特徴を組み込み、同様の技術を用いて製造することができる。従って、以下の説明は、図示の実施形態の一般的な構造に焦点を当てる。この点において、異なる実施形態で、同様の構造的特徴を表すため、共通の符号を用いる。また、図３〜２３に例示する取り付け構造は、一定のスケールで描かれており、それにより、取り付け構造の構造的な構成は一定のスケールであることに留意すべきである。
【００５２】
次に図１０を参照すると、ここでは、本開示の他の実施形態に従う取り付け構造４５０が示されている。図示のように、取り付け構造４５０は、様々な構造的特徴を有する本体部４５２を含み、それにより、ガイドワイヤー等の、血管内装置の他のコンポーネントとの連結を円滑なものとすることができる。たとえば、本体部４５２は、血管内装置の検出コンポーネントを受け入れるべく構成された上面から延びる凹部４５４を含む。図示の実施形態では、凹部４５４は特に、圧力検出素子とともに用いることに適している。この点において、凹部４５４は、部分４５６及び部分４５８を含む。部分４５６は、部分４５８よりも広い形状を有する。従って、いくつかの実施においては、部分４５６は、圧力検出素子の本体部分を受け入れるサイズ及び形状を有するが、部分４５８は、圧力検出素子の可動部分の一部（たとえば、圧力検出ダイヤフラムを含む片持ち構造）を受け入れるサイズ及び形状を有する。いくつかの例では、部分４５８は、本体部４５２の上面に対し、部分４５６よりも大きな距離で窪む。そのような構成は、ダイヤフラム又は他の圧力検出部を、凹部４５８内に表向きで及び／又は裏向きで配置することを可能にする。他の例では、部分４５６及び４５８は、本体部４５２の上面に対し、同じ深さを有する。
【００５３】
本体部４５２はまた、本体部４５２へのコアの連結を円滑なものとするべく構成された底面（すなわち凹部４５４の反対側）から延びる凹部もしくは開口部４６０を含む。図示の実施形態では、凹部もしくは開口部４６０は、本体部４５２の近位端部から遠位側に延びる取り付け構造４５０の長さに沿って延びる。いくつかの実施形態では、凹部もしくは開口部４６０は、凹部もしくは開口部４６０内に配置されたコアが、取り付け構造４５０及び／又は、内部に取り付け構造を設けるガイドワイヤーの中央縦軸と同軸に配置されるように構成される。他の例では、凹部もしくは開口部は、凹部もしくは開口部４６０内に配置されたコアが、取り付け構造４５０及び／又は、内部に取り付け構造を設けるガイドワイヤーの中央縦軸に対してずれるように構成される。図示のように、凹部もしくは開口部４６０は、部分４６２及び４６４を含む。部分４６２は、本体部４５２の近位端部から部分４６４へ遠位側に延びる。図示のように、部分４６４は、部分４６２に対して大きな径もしくは外形を有する。この点に関し、凹部もしくは開口部４６０及び、特に、部分４６２、４６４は、コアワイヤーと連結するサイズ及び形状を有する。たとえば、いくつかの例では、部分４６４は、コアの遠位端と連結するサイズ及び形状を有するが、部分４６２は、遠位端がそこを通って部分４６４に至ることを可能にするサイズ及び形状を有する。この点に関し、コアは、いくつかの例では、半田、接着剤及び／又は他の適切な技術を用いて、凹部もしくは開口部４６０内で所定の位置に固定して取り付けられる。従って、本体部４５２の近位部４６６は、コア及び／又は、検出素子の近位側に配置されたガイドワイヤーの他のコンポーネントと連結するべく構成される。本体部４５２は、遠位コア、遠位コイル及び／又は他の構成のような、ガイドワイヤーの遠位端のコンポーネントと連結するべく構成された近位部４６６とは逆側の遠位部４６８を含む。
【００５４】
外径が０．０１４”のガイドワイヤー内に用いるいくつかの実施においては、取り付け構造４５０の本体部４５２は、約０．１２５ｍｍと約０．４００ｍｍの間の最大高さ、約０．２８ｍｍと約０．５０ｍｍの間の最大幅、及び、約１．５ｍｍと約２．２ｍｍの間の長さを有し、いくつかの特定の実施形態は、約０．２ｍｍの最大高さ及び、約０．２９５ｍｍの最大幅を有する。このような寸法は、大きな、もしくは小さな径のガイドワイヤー用に、スケールアップもしくはダウンすることができる。また、図示の実施形態では、取り付け構造４５０の側部は、全体が丸い、もしくはアーチ状の形状（図示しないが、取り付け構造３００、３５０及び４５０に関する上記の例を参照）を有する。この点に関し、丸い／アーチ状の側部の曲率半径もしくは比は、内部に取り付け構造４５０が組み込まれるガイドワイヤーの所望の外径（たとえば、０．０１４”、０．０１８”等）に基いて決定される。本体部４５２の丸い／アーチ状の形状は、いくつかの例では、本体部４５２を構成する複数層の隣接する材料層の幅を変化させることにより、段階的な方法で画定することができる。この点において、本体部４５２は、いくつかの実施形態では、先に詳細に述べたように、複数層の材料層で構成される。
【００５５】
次に図１１を参照するに、ここでは、本開示の他の実施形態に従う取り付け構造４７０が示されている。図示のように、取り付け構造４７０は、近位部４７４、遠位部４７６及び、血管内装置のガイドワイヤー等の他のコンポーネントとの連結を円滑にするための様々な構造的特徴を有する本体部４７２を含む。たとえば、本体部４７２は、上述したような部分４５６及び４５８を有する凹部４５４を含む。本体部４７２はまた、上述したような本体部４７２へのコアの連結を円滑にするべく構成された底部（すなわち、凹部４５４の反対側）から延びる凹部もしくは開口部４６０を含む。従って、本体部４７２の近位部４７４は、コア及び／又は、検出素子の近位側に配置されたガイドワイヤーの他のコンポーネントと連結するべく構成される。
【００５６】
本体部の遠位部４７６は、遠位コア、遠位コイル及び／又は他の構成のような、ガイドワイヤーの遠位端のコンポーネントと連結するべく構成される。図示の実施形態では、本体部４７２の遠位部４７６は、本体部４７２への遠位コアの連結を円滑にするべく構成された底部（すなわち、凹部４５４とは反対側）から延びる凹部もしくは開口部４８０を含む。図示のように、凹部もしくは開口部４８０は、部分４８２及び部分４８４を含む。部分４８２は、本体部４７２の遠位端部から部分４８４へ近位側に延びる。図示のように、部分４８４は、部分４８２に対して大きな径もしくは外形を有する。この点に関し、凹部もしくは開口部４８０及び、特に部分４８２、４８４は、コアワイヤーと連結するサイズ及び形状を有する。たとえば、いくつかの例では、部分４８４は、コアの近位端と連結するサイズ及び形状を有するが、部分４８２は、近位端がそこを通って部分４８４に至ることを可能にするサイズ及び形状を有する。この点に関し、コアは、いくつかの例では、半田、接着剤及び／又は他の適切な技術を用いて、凹部もしくは開口部４８０内で所定の位置に固定して取り付けられる。
【００５７】
外形が０．０１４”のガイドワイヤー内に用いるいくつかの実施においては、取り付け構造４７０の本体部４７２は、約０．１２５ｍｍと約０．４００ｍｍの間の最大高さ、約０．２８ｍｍと約０．５０ｍｍの間の最大幅、及び、約１．５ｍｍと約２．２ｍｍの間の長さを有し、いくつかの特定の実施形態は、約０．２ｍｍの最大高さ、及び、約０．２９５ｍｍの最大幅を有する。これらの寸法は、より大きな、もしくは小さな径のガイドワイヤー用に、スケールアップもしくはダウンすることができる。また、図示の実施形態では、取り付け構造４７０の側部は、全体が丸い、もしくはアーチ状の形状（図示しないが、取り付け構造３００、３５０及び４５０に関する上記の例を参照）を有する。この点に関し、丸い／アーチ状の側部の曲率半径もしくは比は、内部に取り付け構造４７０が組み込まれるガイドワイヤーの所望の外径（たとえば、０．０１４”、０．０１８”等）に基いて決定される。本体部４７２の丸い／アーチ状の形状は、いくつかの例では、本体部４７２を構成する複数層の隣接する材料層の幅を変化させることにより、段階的な方法で画定される。この点に関し、本体部４７２は、いくつかの実施形態では、先に詳細に説明したように、複数層の材料層で構成される。
【００５８】
次に図１２を参照すると、ここでは、本開示の他の実施形態に従う取り付け構造４９０が示されている。この点において、取り付け構造４９０は、多くの点で図１０の取り付け構造４５０と類似している。しかしながら、取り付け構造４９０は、単一の本体部構造の代わりに、より狭いブリッジもしくはリンクにより分離された三つの本体部分を含む。特に、取り付け構造４９０は、中央本体部４９２、近位部４９６に隣接する近位本体部４９４及び、遠位部５００に隣接する遠位本体部４９８を含む。中央本体部４９２は、血管内装置の検出コンポーネントを受け入れるべく構成された上面から延びる凹部４５４を含む。また、近位本体部４９４は、底面（すなわち、凹部４５４とは反対側）から延びて、取り付け構造４９０へのコアの連結を円滑なものとする凹部もしくは開口部４６０を含む。そしてまた、遠位本体部４９８は、遠位コア、遠位コイル及び／又は他の構成のような、ガイドワイヤーの遠位端のコンポーネントと連結するべく構成される。
【００５９】
図示のように、近位本体部４９４は、ブリッジ５０２により中央本体部４９２に接続されるが、遠位本体部４９８は、ブリッジ５０４により中央本体部４９２に接続される。図示のように、ブリッジ５０２、５０４は、近位本体部４９４、中央本体部４９２及び遠位本体部４９６に対して縮小した形状を有する。この点に関し、いくつかの実施においては、ブリッジ５０２、５０４は、近位本体部４９４、中央本体部４９２及び遠位本体部４９６よりも少ない層数の材料層により画定される。いくつかの実施形態では、ブリッジ５０２、５０４は、血管内装置内で使用されるコアワイヤーのサイズと同程度の外径もしくは外形（たとえば、他の幾何学的又は非幾何学的な断面形状）を有する。従って、いくつかの実施形態では、ブリッジ５０２、５０４は、約０．０７５ｍｍと約０．１２５ｍｍとの間の外径もしくは外形を有する。また、いくつかの実施形態では、ブリッジ５０２、５０４は、取り付け構造４９０の縦軸に沿う長さが、約０．１ｍｍと約０．５ｍｍの間である。ブリッジ５０２、５０４は、実質的に同様の構造的形状を有するものとして示されているが、他の実施形態では、ブリッジ５０２、５０４のそのような形状及び／長さは異なることに留意すべきである。いくつかの実施形態では、ブリッジ５０２、５０４は、近位本体部４９４、中央本体部４９２及び遠位本体部４９６に一体に形成される。他の実施形態では、ブリッジ５０２、５０４は、近位本体部４９４、中央本体部４９２及び遠位本体部４９６に分離して形成されて、それらに固定して取り付けられる。
【００６０】
外径が０．０１４”のガイドワイヤー内で用いるいくつかの実施においては、取り付け構造４９０は、約０．１２５ｍｍと約０．４００ｍｍの間の最大高さ、約０．２８ｍｍと約０．５０ｍｍの間の最大幅、約０．１６ｍｍと約０．２７ｍｍの間の長さを有し、特定の実施形態は、約０．２２５ｍｍの最大高さ、約０．２９５ｍｍの最大幅、約１．８ｍｍの長さを有する。これらの寸法は、より大きな、もしくは小さな径のガイドワイヤー用に、スケールアップもしくはダウンすることができる。また、図示の実施形態では、取り付け構造４９０の側部は、全体が丸い、もしくはアーチ状の形状を有する（図示しないが、取り付け構造３００、３５０及び４００に関する上記の例を参照）。この点に関し、丸い／アーチ状の側部の曲率半径もしくは比は、内部に取り付け構造４９０が組み込まれるガイドワイヤーの所望の外径（たとえば０．０１４”、０．０１８”等）に基いて決定される。
【００６１】
次に図１３を参照すると、ここでは、本開示の他の実施形態に従う取り付け構造５１０が示されている。この点に関し、取り付け構造５１０は多くの点で、図１１の取り付け構造４７０に類似している。しかしながら、取り付け構造５１０は、単一の本体部構造の代わりに、より狭いブリッジもしくはリンクにより分離された三つの本体部分を含む。特に、取り付け構造５１０は、中央本体部５１２、近位部５１６に隣接する近位本体部５１４及び、遠位部５２０に隣接する遠位本体部５１８を含む。中央本体部５１２は、血管内装置の検出コンポーネントを受け入れるべく構成された上面から延びる凹部４５４を含む。また、近位本体部５１４は、取り付け構造５１０へのコアの連結を円滑なものとするべく構成された底面（すなわち、凹部４５４とは反対側）から延びる凹部もしくは開口部４６０を含む。そしてまた、遠位本体部５１８は、遠位コア、遠位コイル及び／又は他の構成のような、ガイドワイヤーの遠位端のコンポーネントと連結するべく構成され、底面（凹部４５４の反対側）から延びる凹部もしくは開口部４８０を含む。図示のように、近位本体部５１４は、ブリッジ５０２により中央本体部５１２に接続されるが、遠位本体部５１８は、ブリッジ５０４により中央本体部５１２に接続される。
【００６２】
いくつかの実施形態では、ブリッジ５０２、５０４は、血管内装置内で用いられるコアワイヤーと同程度の外径もしくは外形（たとえば、他の幾何学的もしくは非幾何学的な断面形状）を有する。従って、いくつかの実施形態では、ブリッジ５０２、５０４は、約０．０７５ｍｍと約０．１２５ｍｍの間の外径もしくは他の外形を有する。また、いくつかの実施形態では、ブリッジ５０２、５０４は、取り付け構造の縦軸に沿う長さが、約０．１ｍｍと約０．５ｍｍの間である。この点に関し、図１２及び１３のブリッジ５０２、５０４は、約０．１７５ｍｍの長さを有し、この一方で、図１４には、取り付け構造５１０と実質的に同じであるが、ブリッジ５３２、５３４が約０．５ｍｍの長さに長くした取り付け構造５３０を示す。ブリッジ５０２、５０４は、実質的に同じ構造的形状を有するものとして示されているが、他の実施形態では、ブリッジ５０２、５０４のそのような外形及び／又は長さが異なることに留意すべきである。いくつかの実施形態では、ブリッジ５０２、５０４は、（たとえば、より少ない層数の材料層を用いて）近位本体部４９４、中央本体部４９２及び遠位本体部４９６と一体に形成される。他の実施形態では、ブリッジ５０２、５０４は、近位本体部４９４、中央本体部４９２及び遠位本体部４９６と分離させて形成されて、それらに固定して取り付けられる。
【００６３】
外径が０．０１４”のガイドワイヤー内で用いるいくつかの実施においては、取り付け構造５１０は、約０．１２５ｍｍと約０．４００ｍｍの間の最大高さ、約０．２８ｍｍと約０．５０ｍｍの間の最大幅、約０．１６ｍｍと約２．７ｍｍの間の長さを有し、一の特定の実施形態は、約０．２２５ｍｍの最大高さ、約０．２９５ｍｍの最大幅、約２．４５ｍｍの長さを有する。これらの寸法は、より大きな、もしくは小さな径のガイドワイヤー用に、スケールアップもしくはダウンすることができる。また、図示の実施形態では、取り付け構造５１０の側部は、全体が丸い、もしくはアーチ状の形状を有する（図示しないが、取り付け構造３００、３５０及び４００に関する上記の例を参照）。この点に関し、丸い／アーチ状の側部の曲率半径もしくは比は、内部に取り付け構造５１０が組み込まれるガイドワイヤーの所望の外径（たとえば、０．０１４”、０．０１８”等）に基いて決定される。
【００６４】
次に図１５を参照するに、本開示の他の実施形態に従う取り付け構造５５０が示されている。図示のように、取り付け構造５５０は、本体部５５２、近位部５５４及び遠位部５５６を含み、これは、ガイドワイヤー等の、血管内装置の他のコンポーネントとの連結を円滑にするための様々な構造的特徴を含む。たとえば、本体部５５２は、血管内装置の検出コンポーネントを受け入れるべく構成された上面からの延びる凹部４５４を含む。本体部５５２はまた、本体部５５２へのコアの連結を円滑にするべく構成された底面（すなわち、凹部４５４とは反対側）から延びる凹部もしくは開口部５６０を含む。図示の実施形態では、凹部もしくは開口部５６０は、取り付け構造５５０の長さに沿って、本体部５５２の近位端部から遠位側へ延びる。いくつの実施形態では、凹部もしくは開口部５６０は、凹部もしくは開口部５６０内に配置されたコアの大部分が、取り付け構造５５０及び／又は、内部に取り付け構造を設けるガイドワイヤーの中央縦軸と同軸に配置されるように構成される。他の例では、凹部もしくは開口部は、取り付け構造５５０及び／又は、内部に取り付け構造を設けるガイドワイヤーの中央縦軸に対してずれるように構成される。図示のように、凹部もしくは開口部５６０は、一般に中央部５６６と互いに並んで配置された近位部５６２及び遠位部５６４と、近位部５６２、遠位部５６４の間に、それらに対してずれて配置された中央部５６６とを含む。この点に関し、中央部５６６は、近位部５６２及び遠位部５６４と連結される。図示のように、部分５６２は、本体部５５２の近位端部から部分５６６へ遠位側に延び、これは、部分５６４に遠位側に連続する。凹部もしくは開口部５６０及び、特に部分５６２、５６４及び５６６は、コアワイヤーと連結するサイズ及び形状である。いくつかの例では、凹部もしくは開口部５６０は、近位コアの遠位端と連結するサイズ及び形状である。この点に関し、コアは、いくつかの例では、半田、接着剤及び／又は他の適切な技術を用いて、凹部もしくは開口部５６０内で所定の位置に固定して取り付けられる。この点に関し、中央部５６６のずれは、いくつかの例では、半田、接着剤及び／又は他の適切な結合技術を用いて、機械的ロック構成をもたらす。また、いくつかの例では、近位部５６２と遠位部５６４との間の遷移は、コアと取り付け構造５５０との間の機械的連結をより円滑にするため、コアの遠位端における一以上の湾曲を与える。この点に関し、図示のスロット設計は、張力からのロック性能だけでなく、湾曲部が良好なねじり力の伝達を確保することをもたらす。従って、本体部５５２の近位部５５４は、コア及び／又は、検出素子の近位側に配置されるガイドワイヤーの他のコンポーネントと連結するべく構成される。本体部５５２の遠位部５５６は、遠位コア、遠位コイル及び／又は他の構成のような、ガイドワイヤーの遠位端のコンポーネントと連結するべく構成される。
【００６５】
外径が０．０１４”のガイドワイヤー内で用いるいくつかの実施においては、取り付け構造５５０の本体部５５２は、約０．１２５ｍｍと約０．４００ｍｍの間の最大高さ、約０．２８ｍｍと約０．５０ｍｍの間の最大幅、及び、約１．５ｍｍと約２．２ｍｍとの間の長さを有し、いくつかの特定の実施形態は、約０．２ｍｍの最大高さ、及び、約０．２９５ｍｍの最大幅を有する。これらの寸法は、より大きな、もしくは小さな径のガイドワイヤー用に、スケールアップもしくはダウンすることができる。また、図示の実施形態では、取り付け構造５５０の側部は、全体が丸い、もしくはアーチ状の形状を有する（図示しないが、取り付け構造３００、３５０及び４００に関する上記の例を参照）。この点に関し、丸い／アーチ状の側部の曲率半径もしくは比は、内部に取り付け構造５５０が組み込まれるガイドワイヤーの所望の外径（たとえば０．０１４”、０．０１８”等）に基いて決定される。本体部５５２の丸い／アーチ状の形状は、いくつかの例では、本体部５５２を構成する複数層の隣接する材料層の幅を変化させることにより、段階的な方法で画定される。この点に関し、本体部５５２は、上記のいくつかの実施形態で詳細に説明したように、複数層の材料層で構成される。
【００６６】
次に図１６を参照するに、ここでは、本開示の他の実施形態に従う取り付け構造５７０が示されている。図示のように、取り付け構造５７０は、近位部５７４、遠位部５７６及び、ガイドワイヤーのような、血管内装置の他のコンポーネントとの連結を円滑にする様々な構造的特徴を有する本体部５７２を含む。たとえば、本体部５７２は、先述したような部分４５６及び部分４５８を有する凹部４５４を含む。本体部５７２はまた、先述したように本体部５７２へのコアの連結を円滑にするべく構成された底部（すなわち、凹部４５４とは反対側）から延びる凹部もしくは開口部５６０を含む。従って、本体部５７２の近位部５７４は、コア及び／又は、検出素子の近位側に配置されたガイドワイヤーの他のコンポーネントと連結するべく構成される。本体部の遠位部５７６は、遠位コア、遠位コイル及び／又は他の構成のような、ガイドワイヤーの遠位端のコンポーネントと連結するべく構成される。図示の実施形態では、本体部５７２の遠位部５７６は、本体部５７２への遠位コアの連結を円滑にするべく構成された底面（すなわち、凹部４５４とは反対側）から延びる凹部もしくは開口部４８０を含む。
【００６７】
外径が０．０１４”のガイドワイヤー内で用いるいくつかの実施においては、取り付け構造５７０の本体部５７２は、約０．１２５ｍｍと約０．４００ｍｍの間の最大高さ、約０．２８ｍｍと約０．５０ｍｍの間の最大幅、及び、約１．５ｍｍと約２．２ｍｍの間の長さを有し、いくつかの特定の実施形態は、約０．２ｍｍの最大高さ及び約０．２９５ｍｍの最大幅を有する。これらの寸法は、より大きな、もしくは小さな径のガイドワイヤー用に、スケールアップもしくはダウンすることができる。また、図示の実施形態では、取り付け構造５７０の側部は、全体が丸い、もしくはアーチ状の形状を有する（図示しないが、取り付け構造３００、３５０及び４００に関する上記の例を参照）。この点に関し、丸い／アーチ状の側の曲率半径もしくは比は、内部に取り付け構造が組み込まれるガイドワイヤーの所望の外径（たとえば０．０１４”、０．０１８”等）に基いて決定される。本体部５７２の丸い／アーチ状の形状は、いくつかの例では、本体部５７２を構成する複数層の隣接する材料層の幅を変化させることにより、段階的な方法で画定される。この点に関し、本体部５７２は、上記のいくつかの実施形態で詳細に説明したように、複数層の材料層で構成される。
【００６８】
次に図１７を参照すると、ここでは、本開示の他の実施形態に従う取り付け構造５９０が示されている。この点に関し、取り付け構造５９０は、多くの点で、取り付け構造５５０に類似している。しかしながら、取り付け構造５９０は、単一の本体部構造の代わりに、より狭いブリッジもしくはリンクにより分離された三つの本体部分を含む。特に取り付け構造５９０は、中央本体部５９２、近位部５９６に隣接する近位本体部５９４及び、遠位部６００に隣接する遠位本体部５９８を含む。中央本体部５９２は、血管内装置の検出コンポーネントを受け入れるべく構成された上面から延びる凹部４５４を含む。また、近位本体部５９４は、取り付け構造５９０へのコアの連結を促進させるべく構成された底部（すなわち、凹部４５４とは反対側）から延びる凹部もしくは開口部５６０を含む。そしてまた、遠位本体部５９８は、遠位コア、遠位コイル及び／又は他の構成のような、ガイドワイヤーの遠位端のコンポーネントと連結するべく構成される。図示のように、近位本体部５９４は、ブリッジ５０２により中央本体部５９２に接続されるが、遠位本体部５９８は、ブリッジ５０４により中央本体部５９２に接続される。
【００６９】
外径が０．０１４”のガイドワイヤー内で用いるいくつかの実施においては、取り付け構造５９０は、約０．１２５ｍｍと約０．４００ｍｍの間の最大高さ、約０．２８ｍｍと約０．５０ｍｍの間の最大幅、及び、約０．１６ｍｍと約２．７ｍｍの間の長さを有し、一の特定の実施形態は、約０．２２５ｍｍの最大高さ、約０．２９５ｍｍの最大幅及び、約１．８ｍｍの長さを有する。これらの寸法は、より大きな、もしくは小さな径のガイドワイヤー用に、スケールアップもしくはダウンすることができる。また、図示の実施形態では、取り付け構造５９０の側部は、全体が丸い、もしくはアーチ状の形状を有する（図示しないが、取り付け構造３００、３５０及び４００に関する上記の例を参照）。この点に関し、丸い／アーチ状の側部の曲率半径もしくは比は、内部に取り付け構造５９０が組み込まれるガイドワイヤーの所望の外径（たとえば０．０１４”、０．０１８”等）に基いて決定される。
【００７０】
次に図１８を参照すると、ここでは、本開示の他の実施形態に従う取り付け構造６１０が示されている。この点に関し、取り付け構造６１０は、多くの点で、図１６の取り付け構造５７０と類似している。しかしながら、取り付け構造６１０は、単一の本体部構造の代わりに、より狭いブリッジもしくはリンクにより分離された三つの本体部分を含む。特に取り付け構造６１０は、中央本体部６１２、近位部６１６に隣接する近位本体部６１４及び、遠位部６２０に隣接する遠位本体部６１８を含む。中央本体部６１２は、血管内装置の検出コンポーネントを受け入れるべく構成された上面から延びる凹部４５４を含む。また、近位本体部６１４は、取り付け構造６１０へのコアの連結を円滑にするべく構成された底面（すなわち、凹部４５４とは反対側）から延びる凹部もしくは開口部５６０を含む。そしてまた、遠位本体部６１８は、遠位コア、遠位コイル及び／又は他の構成のような、ガイドワイヤーの遠位端のコンポーネントと連結するべく構成され、そして、底面（すなわち、凹部４５４とは反対側）から延びる凹部もしくは開口部４８０を含む。図示のように、近位本体部６１４は、ブリッジ５０２により中央本体部６１２に接続されるが、遠位本体部６１８は、ブリッジ５０４により中央本体部６１２に接続される。
【００７１】
外径が０．０１４”のガイドワイヤー内で用いるいくつかの実施においては、取り付け構造６１０は、約０．１２５ｍｍと約０．４００ｍｍの間の最大高さ、約０．２８ｍｍと約０．５０ｍｍの間の最大幅、及び、約０．１６ｍｍと約２．７ｍｍの間の長さを有し、一の特定の実施形態は、約０．２２５ｍｍの最大高さ、約０．２９５ｍｍの最大幅及び、約１．８ｍｍの長さを有する。これらの寸法は、より大きな、もしくは小さな径のガイドワイヤー用に、スケールアップもしくはダウンすることができる。また、図示の実施形態では、取り付け構造６１０の側部は、全体が丸い、もしくはアーチ状の形状を有する（図示しないが、取り付け構造３００、３５０及び４００に関する上記の例を参照）。この点に関し、丸い／アーチ状の側部の曲率半径もしくは比は、内部に取り付け構造６１０が組み込まれるガイドワイヤーの所望の外径（たとえば０．０１４”、０．０１８”等）に基いて決定される。
【００７２】
次に図１９〜２３を参照すると、ここでは、本開示の追加的な実施形態に従う取り付け構造が示されている。この点に関し、図１９〜２３の実施形態は、多くの点で、図１０、１１、１３、１５及び１６の実施形態のそれぞれに類似しているが、上述した凹部４５４と比較して、検出コンポーネントとの連結のための他の凹部の設計を含む。たとえば、より具体的に図１９を説明すれば、図１９には、ガイドワイヤー等の、血管内装置の他のコンポーネントとの連結を円滑にする様々な構造的特徴を有する本体部６３２を含む取り付け構造が示されている。たとえば、本体部６３２は、血管内装置の検出コンポーネントを受け入れるべく構成された上面から延びる凹部６３４を含む。図示の実施形態では、凹部６３４は特に、圧力検出素子とともに用いることに適している。この点に関し、凹部６３４は、圧力検出素子の本体部を受け入れるサイズ及び形状の平面部分である。また、図示の実施形態では、本体部６３２は、本体部を通って上面から下面に延びる開口部６３８を含む。いくつかの例では、ダイヤフラム及び／又は、凹部６３４内に取り付けられる圧力検出素子の他の圧力検出部は、開口部６３８と流体連通される。いくつかの特定の実施形態では、ダイヤフラム及び／又は、圧力検出素子の他の圧力検出部は、取り付けられた際に、開口部６３８のすぐ上に、（裏向き（すなわち、ダイヤフラム及び／又は他の圧力検出部が開口部６３８に面する向き）又は表向き（すなわち、ダイヤフラム及び／又は他の圧力検出部が開口部６３８から離れる向き）で）配置される。図示のように、本体部６３２は、近位部６４０に隣接する凹部もしくは開口部４６０を含む。凹部もしくは開口部４６０は、本体部６３２へのコアの連結を円滑にするべく構成された底面（すなわち、凹部６３４とは反対側）から延びる。本体部６３２はまた、遠位コア、遠位コイル及び／又は他の構成のような、ガイドワイヤーの遠位端のコンポーネントと連結するべく構成された近位部６４０とは逆側の遠位部６４２を含む。
【００７３】
外径が０．０１４”のガイドワイヤー内で用いるいくつかの実施においては、約０．１２５ｍｍと約０．４００ｍｍの間の最大高さ、約０．２８ｍｍと約０．５０ｍｍの間の最大幅、及び、約１．５ｍｍと約２．２ｍｍの間の長さを有し、いくつかの特定の実施形態は、約０．２ｍｍの最大高さ及び、約０．２９５ｍｍの最大幅を有する。これらの寸法は、より大きな、もしくは小さな径のガイドワイヤー用に、スケールアップもしくはダウンすることができる。また、図示の実施形態では、取り付け構造６３０の側部は、全体が丸い、もしくはアーチ状の形状を有する（図示しないが、取り付け構造３００、３５０及び４００に関する上記の例を参照）。この点に関し、丸い／アーチ状の側部の曲率半径もしくは比は、内部に取り付け構造６３０が組み込まれるガイドワイヤーの所望の外径（たとえば０．０１４”、０．０１８”等）に基いて決定することができる。
【００７４】
次に図２０を参照するに、ここでは、本開示の他の実施形態に従う取り付け構造６５０が示されている。図示のように、取り付け構造６５０は、近位部６５４、遠位部６５６及び、ガイドワイヤー等の、血管内装置の他のコンポーネントとの連結を円滑にする様々な機械的構造を有する本体部６５２を含む。たとえば、本体部６５２は、上述したような凹部６３４及び開口部６３８を含む。本体部６５２はまた、本体部６５２へのコアの連結を円滑にするべく構成された底面（すなわち、凹部６３４とは反対側）から延びる凹部もしくは開口部４６０を含む。本体部の遠位部６５６は、遠位コア、遠位コイル及び／又は他の構成のような、ガイドワイヤーの遠位端のコンポーネントと連結するべく構成される。図示の実施形態では、本体部６５２の遠位部６５６は、本体部４７２への遠位コアの連結を円滑にするべく構成された底面（すなわち、凹部６３４とは反対側）から延びる凹部もしくは開口部４８０を含む。
【００７５】
外径が０．０１４”のガイドワイヤー内で用いるいくつかの実施においては、取り付け構造６５０の本体部６５２は、約０．１２５ｍｍと約０．４００ｍｍの間の最大高さ、約０．２８ｍｍと約０．５０ｍｍの間の最大幅、及び、約１．５ｍｍと約２．２ｍｍの間の長さを有し、いくつかの特定の実施形態は、約０．２ｍｍの最大高さ及び、約０．２９５ｍｍの最大幅を有する。これらの寸法は、より大きな、もしくは小さな径のガイドワイヤー用に、スケールアップもしくはダウンすることができる。また、図示の実施形態では、取り付け構造６５０の側部は、全体が丸い、もしくはアーチ状の形状を有する（図示しないが、取り付け構造３００、３５０及び４００に関する上記の例を参照）。この点に関し、丸い／アーチ状の側部の曲率半径もしくは比は、内部に取り付け構造６５０が組み込まれるガイドワイヤーの所望の外径（たとえば０．０１４”、０．０１８”等）に基いて決定される。
【００７６】
次に図２１を参照すると、ここでは、本開示の他の実施形態に従う取り付け構造６６０が示されている。図示のように、取り付け構造６６０は、中央本体部６６２、近位部６６６に隣接する近位本体部６６４及び、遠位部６７０に隣接する遠位本体部６６８、並びに、ガイドワイヤー等の、血管内装置の他のコンポーネントとの連結を円滑にする様々な構造的特徴を含む。たとえば、中央本体部６６２は、凹部６３４及び開口部６３８を含む。近位本体部６６４は、取り付け構造６６０へのコアの連結を円滑にするべく構成された底面（すなわち、凹部６３４とは反対側）から延びる凹部もしくは開口部４６０を含む。遠位本体部６６８は、遠位本体部６６８への遠位コアの連結を円滑にするべく構成された底面（すなわち、凹部６３４とは反対側）から延びる凹部もしくは開口部４８０を含む。図示のように、近位本体部６６４は、ブリッジ５０２により中央本体部６６２に接続されるが、遠位本体部６６８は、ブリッジ５０４により中央本体部６６２に接続される。
【００７７】
外径が０．０１４”のガイドワイヤー内で用いるいくつかの実施においては、取り付け構造６６０は、約０．１２５ｍｍと約０．４００ｍｍの間の最大高さ、約０．２８ｍｍと約０．５０ｍｍの間の最大幅、及び、約０．１６ｍｍと約２．７ｍｍの間の長さを有し、一の特定の実施形態は、約０．２２５ｍｍの最大高さ、約０．２９５ｍｍの最大幅及び、約１．８ｍｍの長さを有する。これらの寸法は、より大きな、もしくは小さな径のガイドワイヤー用に、スケールアップもしくはダウンすることができる。また、図示の実施形態では、取り付け構造６６０の側部は、全体が丸い、もしくはアーチ状の形状を有する（図示しないが、取り付け構造３００、３５０及び４００に関する上記の例を参照）。この点に関し、丸い／アーチ状の側部の曲率半径もしくは比は、内部に取り付け構造６６０が組み込まれるガイドワイヤーの所望の外径（たとえば０．０１４”、０．０１８”等）に基いて決定される。
【００７８】
次に図２２を参照すると、ここでは、本開示の他の実施形態に従う取り付け構造６８０が示されている。図示のように、取り付け構造６８０は、近位部６８４及び遠位部６８６とともに、ガイドワイヤー等の、血管内装置の他のコンポーネントとの連結を円滑にする様々な構造的特徴を有する本体部６８２を含む。たとえば、本体部６８２は、凹部６３４及び開口部６３８を含む。本体部６８２はまた、取り付け構造６８０へのコアの連結を円滑にするべく構成された底面（すなわち、凹部６３４とは反対側）から延びる凹部もしくは開口部５６０を含む。本体部６８２の遠位部は、遠位コア、遠位コイル及び／又は他の構成のような、ガイドワイヤーの遠位端のコンポーネントと連結するべく構成される。
【００７９】
外径が０．０１４”のガイドワイヤー内で用いるいくつかの実施においては、取り付け構造６８０は、約０．１２５ｍｍと約０．４００ｍｍの間の最大高さ、約０．２８ｍｍと約０．５０ｍｍの間の最大幅、及び、約１．５ｍｍと約２．２ｍｍの間の長さを有し、いくつかの特定の実施形態は、約０．２ｍｍの最大高さ及び、約０．２９５ｍｍの最大幅を有する。これらの寸法は、より大きな、もしくは小さな径のガイドワイヤー用に、スケールアップもしくはダウンすることができる。また、図示の実施形態では、取り付け構造６８０の側部は、全体が丸い、もしくはアーチ状の形状を有する（図示しないが、取り付け構造３００、３５０及び４００に関する上記の例を参照）。この点に関し、丸い／アーチ状の側部の曲率半径もしくは比は、内部に取り付け構造６８０が組み込まれるガイドワイヤーの所望の外径（たとえば、０．０１４”、０．０１８”等）に基いて決定される。
【００８０】
次に図２３を参照すると、ここでは、本開示の他の実施形態に従う取り付け構造６９０が示されている。図示のように、取り付け構造６９０は、近位部６９４及び遠位部６９６とともに、ガイドワイヤー等の、血管内装置の他のコンポーネントとの連結を円滑にする様々な構造的特徴を有する本体部６９２を含む。たとえば、本体部６９２は、凹部６３４及び開口部６３８を含む。本体部６９２はまた、取り付け構造６９０へのコアの連結を円滑にするべく構成された底面（すなわち、凹部６３４とは反対側）から延びる凹部もしくは開口部５６０を含む。本体部６９２の遠位部６９６は、本体部６９２への遠位コアの連結を円滑にするべく構成された底面（すなわち、凹部６３４とは反対側）から延びる凹部もしくは開口部４８０を含む。
【００８１】
外径が０．０１４”のガイドワイヤー内で用いるいくつかの実施においては、取り付け構造６９０は、約０．１２５ｍｍと約０．４００ｍｍの間の最大高さ、約０．２８ｍｍと約０．５０ｍｍの間の最大幅、及び、約１．５ｍｍと約２．２ｍｍの間の長さを有し、いくつかの特定の実施形態は、約０．２ｍｍの最大高さ及び、約０．２９５ｍｍの間の最大幅を有する。これらの寸法は、より大きな、もしくは小さな径のガイドワイヤー用に、スケールアップもしくはダウンすることができる。また、図示の実施形態では、取り付け構造６９０の側部は、全体が丸い、もしくはアーチ状の形状を有する（図示しないが、取り付け構造３００、３５０及び４００に関する上記の例を参照）。この点に関し、丸い／アーチ状の側部の曲率半径もしくは比は、内部に取り付け構造６９０が組み込まれるガイドワイヤーの所望の外径（たとえば、０．０１４”、０．０１８”等）に基いて決定される。
【００８２】
当業者はまた、上述した装置、システム及び方法が様々な方法で改良可能であることを認識するだろう。従って、当業者は、本開示に包含される実施形態が、上述した特定の例示的な実施形態に限定されないと理解するだろう。この点に関し、図示の実施形態を示して説明したが、前述の開示に、改良、変更及び置換の広い範囲が予期される。
そのようなバリエーションは、本開示の範囲を逸脱することなしに上記のようになされ得ると理解される。従って、添付の特許請求の範囲は、広く、かつ本開示と整合する方法にて解釈されることが適切である。
【図１】
0006509117.tif 000002
【図２】
0006509117.tif 000003
【図３】
0006509117.tif 000004
【図４】
0006509117.tif 000005
【図５】
0006509117.tif 000006
【図６】
0006509117.tif 000007
【図７】
0006509117.tif 000008
【図８】
0006509117.tif 000009
【図９】
0006509117.tif 000010
【図１０】
0006509117.tif 000011
【図１１】
0006509117.tif 000012
【図１２】
0006509117.tif 000013
【図１３】
0006509117.tif 000014
【図１４】
0006509117.tif 000015
【図１５】
0006509117.tif 000016
【図１６】
0006509117.tif 000017
【図１７】
0006509117.tif 000018
【図１８】
0006509117.tif 000019
【図１９】
0006509117.tif 000020
【図２０】
0006509117.tif 000021
【図２１】
0006509117.tif 000022
【図２２】
0006509117.tif 000023
【図２３】
0006509117.tif 000024